(57)【要約】  不正咬合を治療するための歯科矯正ブラケット装置及び方法は、角張った後向き面を有し、患者の歯の前向き面に隣接して嵌まり合って解除可能に位置決めされるブラケット基部と、ブラケット基部と解除可能で調節可能に係合可能な複数のブラケット本体と、第１、第２、及び第３の次元の移動を不正咬合の歯に発揮するために、ブラケット本体の各々に画定されたアーチワイヤスロット内に同時に係合可能なアーチワイヤとを備え、ブラケット基部は、治療する臨床医によって選択される複数のステップの歯科矯正治療レジメンを通じて患者の歯に固定されたままである。
2021513434.tif 000002
【特許請求の範囲】
【請求項１】
歯の不正咬合を治療するための歯科矯正ブラケット装置であって、
臨床医によって処方される複数ステップの歯科矯正治療レジメンを受ける患者の歯の前向き面への解除可能な取り付けのために構成されるブラケット基部であって、前記ブラケット基部は前記歯科矯正治療レジメンの期間の間に前記患者の前記歯に固定されて留まり、前記臨床医によって選択される前記歯科矯正治療レジメンは、前記臨床医が、歯の不正咬合を矯正するために、第１の次元の移動、第２の次元の移動、及び／または第３の次元の移動を、前記歯科矯正治療レジメンを受ける前記患者の前記歯へ付与することを必要とする、ブラケット基部と、
治療する前記臨床医による前記患者のための前記歯科矯正治療レジメンを容易にするように、前記歯科矯正治療レジメンの間に前記患者の歯の前記前向き面から前記ブラケット基部を取り外すことなく、前記ブラケット基部と個々に嵌まり合って連続的に協働でき、また、それぞれの前記歯の所望の移動を達成するために、前記臨床医によって選択される第１の次元の移動、第２の次元の移動、及び／または第３の次元の移動を付与するように、臨床医が選択した大きさの力を、前記歯科矯正治療レジメンを受ける各々の歯に伝えることを、個別及び／または集合的に容易にする複数のブラケット本体であって、前記複数のブラケット本体の各々は、前面部分に３つの側部から構成されるアーチワイヤスロットを画定し、前記アーチワイヤスロットは、２つの離間された平行な側壁、スロット開口、及び、前記スロット開口と反対側の基礎壁を有する、複数のブラケット本体と、
各々のブラケット本体の前記アーチワイヤスロットの中において、前記基礎壁に隣接して解除可能に担持されるブラケット本体挿入体であって、細長い主本体、及び、それぞれの前記ブラケット本体をそれぞれの前記ブラケット基部に対して所望の角度配向で位置的に固定するために、それぞれの前記ブラケット基部と摩擦でつながるように前記細長い主本体から外向きに延びる係合部分を各々が有し、前記アーチワイヤスロットの後部分を形成する前向き面をさらに各々が有するブラケット本体挿入体と、
前記複数のブラケット本体の各々によって画定される前記アーチワイヤスロットの中での解除可能な同時の係合のためのアーチワイヤであって、前記アーチワイヤは、前記患者の歯列弓に対して密に離間した関係で、前記歯列弓に沿って位置決めされる第１の元の構成を有し、前記アーチワイヤは、実質的に均一な円形−正方形または円形−長方形の断面の形を有し、前記実質的に均一な断面の形は、２つだけの直径方向で相対する径方向にに湾曲した凸状面、及び、２つだけの直径方向で相対する平面状の面を有する、アーチワイヤと、
を有することを特徴とする歯科矯正ブラケット装置。
【請求項２】
前記ブラケット基部は、前向き面と後向き面とをそれらの間に厚さ寸法が画定される状態で有し、前記ブラケット基部の第１の縁部分における前記厚さ寸法は、前記ブラケット基部の離間した第２の縁部分における前記厚さ寸法と異なる、請求項１に記載の歯科矯正ブラケット装置。
【請求項３】
前記第１の縁部分と前記第２の縁部分との間で測定されるような前記ブラケット基部の異なる前記厚さ寸法は、直線的であり、おおよそ６．５°から８．５°の間の角形成となる、請求項２に記載の歯科矯正ブラケット装置。
【請求項４】
前記ブラケット本体において画定され、前記アーチワイヤスロットの前記基礎壁から前記ブラケット本体の相対する後面へとつながる中間通路であって、横断して延びる貫通孔が、前記ブラケット本体に画定され、前記後面に隣接しつつ離間されて位置付けられ、前記アーチワイヤスロットに対して垂直であり、前記貫通孔は、前記中間通路と交差し、保持ピンを解除可能に担持するようにさらに構成される、中間通路をさらに備え、
前記ブラケット本体挿入体は、第１の端、第２の端、上部、下部、前向き面、後向き面を伴う細長い主本体と、前記ブラケット本体によって画定される前記中間通路の中に軸方向で受け入れられるように構成される係合部材とをさらに有し、前記係合部材は、前記第１の端と前記第２の端との間の中間で、前記後向き面から概して垂直に延び、前記係合部材は、前記主本体から離間させられる遠位端をさらに有し、前記上部と前記下部との間、及び、前記遠位端と前記主本体との間でつながる細長い孔をさらに画定し、前記係合部材が前記ブラケット本体によって画定される前記中間通路の中に係合または受け入れられるとき、前記細長い孔は、前記ブラケット本体に画定された前記貫通孔と一列に並べられ、前記係合部材は、前記係合部材と前記ブラケット本体との間の相対移動を排除するように、前記中間通路の周囲面と摩擦でつながる摩擦突起部をそれ自体においてさらに画定し、
前記係合部材において画定される前記細長い孔は、それ自体を通じて延びる前記保持ピンと協働する際、前記ブラケット本体を、それぞれの前記ブラケット基部に対して回転可能に移動させることができるように、前記ブラケット本体に対する前記ブラケット本体挿入体の限定された軸方向の移動を可能にし、それによって、治療している前記臨床医が、前記患者の前記歯科矯正治療レジメンを容易にするように、前記ブラケット基部に対するそれぞれの前記ブラケット本体の相対位置を調節することを許容する、請求項１に記載の歯科矯正ブラケット装置。
【請求項５】
前記ブラケット本体挿入体は、前記歯科矯正治療レジメンの間、それぞれの前記ブラケット本体を、前記ブラケット基部及び前記患者の歯に対して所定の配向で固定するようにそれぞれの前記ブラケット本体と動作可能に協働するような構成及び寸法とされ、それぞれの前記ブラケット本体は、アーチワイヤスロットを画定する前向き面と、前記ブラケット基部と移動可能に係合するように協働する反対側の後向き面とを各々有し、各々のブラケット本体は、前記アーチワイヤスロットに隣接する第１の縁部分において第１の通路を画定し、前記第１の通路は、前記アーチワイヤスロットの前記基礎壁から前記ブラケット本体の前記後向き面へとつながり、各々のブラケット本体は、第２の縁部分において、前記アーチワイヤスロットに隣接して第２の通路をさらに画定し、前記第２の通路は、前記アーチワイヤスロットの前記基礎壁から前記ブラケット本体の前記後向き面へとつながり、
前記ブラケット本体挿入体は、第１の端部分、第２の端部分、後向き面、及び前向き面を伴う細長い主本体を有し、前記第１の端部分及び前記第２の端部分に隣接する前記細長い主本体の前記後向き面に対して通常は下向きに延びる第１の係合部分及び第２の係合部分をさらに有し、各々の係合部分は、前記ブラケット本体の前記第１の縁部分及び前記第２の縁部分において画定される前記第１の通路及び前記第２の通路の中にスライド可能に受け入れられるような構成及び寸法とされ、各々の係合部分は、前記細長い主本体と反対側にあり、前記ブラケット基部の前面に形成される離間して配列された複数の係合領域のうちの１つの中に嵌まり合って受け入れられるようにさらに動作可能である遠位端をさらに有し、各々のブラケット本体挿入体は、前記細長い主本体の各々の端部分に位置付けられ、前記ブラケット本体に対して外向きに延び、さらに、前記ブラケット基部の側方部分において画定される側方凹部の中に受け入れられる寸法とされ、前記ブラケット本体挿入体が前記ブラケット本体と前記ブラケット基部との両方と係合させられるときに前記離間して配列された複数の係合領域に隣接するフランジ部分をさらに有し、前記第１の係合部分、前記第２の係合部分、及び前記フランジ部分は、それぞれの前記ブラケット本体及び前記アーチワイヤスロットに対する前記ブラケット本体挿入体の限定された移動だけを可能にするように構成され、前記ブラケット本体に対する前記ブラケット本体挿入体の前記限定された移動は、前記患者の前記歯科矯正治療レジメンを容易にするように、臨床医が前記ブラケット基部に対するそれぞれの前記ブラケット本体の相対位置を調節することを許容する、請求項１に記載の歯科矯正ブラケット装置。
【請求項６】
前記ブラケット本体のうちの少なくとも一部は、前記ブラケット基部と嵌まり合って協働するとき、前記歯科矯正治療レジメンの間、前記ブラケット基部に対して調節可能に移動可能である、請求項１に記載の歯科矯正ブラケット装置。
【請求項７】
前記ブラケット本体のうちの少なくとも一部は、前記ブラケット基部と嵌まり合って協働するとき、前記歯科矯正治療レジメンの間、前記ブラケット基部に対して移動不可能である、請求項１に記載の歯科矯正ブラケット装置。
【請求項８】
前記ブラケット基部と嵌まり合って協働する前記ブラケット本体は、前記歯科矯正治療レジメンの間、前記ブラケット基部に対して移動不可能または調節可能に移動可能であり、それぞれの前記ブラケット本体は、従来のブラケット本体と、双ブラケット本体と、受動的な結紮ブラケット本体と、能動的な結紮ブラケット本体と、前記ブラケット基部に対して移動不可能または調節可能に移動可能のいずれかであり、中立の、大きい、及び／または小さいトルク結合をさらに発生させるブラケット本体と、前記歯科矯正治療レジメンを受ける前記患者の歯に中立の、小さい、及び／または大きいトルクを発生させるフック及び／または他の歯科矯正器具を有するブラケット本体と、をさらに備える、請求項１に記載の歯科矯正ブラケット装置。
【請求項９】
前記ブラケット基部と協働する前記ブラケット本体は、前記歯科矯正治療レジメンの間、前記ブラケット基部に対して移動不可能または調節可能に移動可能であり、それぞれの前記ブラケット本体は、従来のブラケット本体と、双ブラケット本体と、受動的な結紮ブラケット本体と、能動的な結紮ブラケット本体と、プラットフォーム基部に対して移動不可能または調節可能に移動可能のいずれかであり、中立の、大きい、及び／または小さいトルク結合を発生させるブラケット本体と、前記歯科矯正治療レジメンを受ける前記患者の歯に中立の、小さい、及び／または大きいトルク結合を発生させるフック及び／または他の歯科矯正器具を有するブラケット本体と、をさらに備える、請求項１に記載の歯科矯正ブラケット装置。
【請求項１０】
前記複数ステップの歯科矯正治療レジメンは、個々の特有の歯科矯正異常を有する患者の複数の歯の治療を含み、同じブラケット基部が、前記患者の歯の各々に用いられ、前記歯科矯正治療レジメン全体の間にそれぞれの前記歯に固定されたままである、請求項１に記載の歯科矯正ブラケット装置。
【請求項１１】
前記アーチワイヤは、患者の歯列弓に密に隣接した近さで配置されるように構成される細長い本体を有し、前記細長い本体は、その長手方向軸に沿って位置決めされる中心と、２つだけの相対する直径方向で離間された径方向に湾曲した凸状面、及び、２つだけの相対する直径方向で離間された平面状の面を有する断面構成とを有し、前記アーチワイヤは、
一方の径方向に湾曲した凸状面から、前記直径方向で反対側の径方向に湾曲した凸状面へと延び、前記中心を通過する任意の線に沿って測定される前記細長い本体の単一の一貫した直径寸法をさらに備え、前記アーチワイヤは、
一方の平面状の面から、直径方向で反対側の前記平面状の面へと延び、２つの直径方向で相対する離れた前記平面状の面に対してさらに垂直である任意の線に沿って測定される前記細長い本体の単一の一貫した厚さ寸法をさらに有する、請求項１に記載の歯科矯正ブラケット装置。
【請求項１２】
前記アーチワイヤは、おおよそ０．０２２５ｍｍから約０．０３００ｍｍまでの範囲にある直径寸法を有する、請求項１１に記載の歯科矯正ブラケット装置。
【請求項１３】
前記アーチワイヤは、おおよそ０．０１０ｍｍから約０．０２０ｍｍまでの範囲にある厚さ寸法を有する、請求項１１に記載の歯科矯正ブラケット装置。
【請求項１４】
不正咬合を治療するための歯科矯正ブラケット装置であって、
患者の複数の歯のうちの１つの前向き面に解除可能に保持されるように構成されるブラケット基部であって、前記患者の歯のうちの少なくとも一部は、臨床医によって実質的に同時に実施される歯科矯正治療レジメンを必要とし、前記ブラケット基部は、前記歯科矯正治療レジメンを通じて前記患者の歯の前記前向き面に固定されたままである、ブラケット基部と、
前記歯科矯正治療レジメンを容易にするように、前記ブラケット基部と個々に嵌まり合って連続的に協働でき、前記ブラケット基部に対して部分的に回転できる複数のブラケット本体であって、各々のブラケット本体は、その前面部分に３つの側部から構成されるアーチワイヤスロットを画定し、各々のアーチワイヤスロットは、２つの離間された平行な側壁、スロット開口、及び、前記スロット開口と反対側の基礎壁を有し、前記３つの側部から構成される各々のアーチワイヤスロットは、中心領域及び中心をさらに有し、前記複数のブラケット本体は、前記アーチワイヤスロットの前記中心領域と、前記歯科矯正治療レジメンを受けている前記患者の他の隣接する歯に位置付けられるなおも他のブラケット本体の他のアーチワイヤスロットの前記中心領域との間で延びる所与の参照の線に沿ってさらに配向される、複数のブラケット本体と、
各々のブラケット本体の前記アーチワイヤスロットの中において、そのブラケット本体の前記基礎壁に隣接して解除可能に担持されるブラケット本体挿入体であって、各々のブラケット本体挿入体は、細長い主本体、及び、それぞれの前記ブラケット本体をそれぞれの前記ブラケット基部に対して所望の角度配向で位置的に固定するように、それぞれの前記ブラケット基部と摩擦でつながるように前記細長い主本体から外向きに延びる係合部分を有し、前記ブラケット本体は、前記アーチワイヤスロットの後部分を形成する前向き面をさらに有する、ブラケット本体挿入体と、
それぞれの前記ブラケット本体の各々の前記アーチワイヤスロットの間で延び、前記アーチワイヤスロットの中に受け入れられ、前記歯科矯正治療レジメンをさらに受けるそれぞれの前記患者の歯の前記前向き面に解除可能に位置決めされるアーチワイヤであって、それぞれの前記ブラケット基部に対するブラケット本体の部分的な回転は、臨床医が、前記アーチワイヤスロットの中に実質的に包囲される前記アーチワイヤを強制的に係合することで、所定の大きさのトルクを前記患者のそれぞれの歯に付与することを許容し、前記ブラケット基部と解除可能に係合する前記ブラケット本体の所定の大きさのトルクの調節及び／または交換は、各々のブラケット本体アーチワイヤスロットの前記中心領域が、所定の前記参照の線に沿って実質的に配向されて留まり、前記患者の前記隣接する歯に位置付けられる前記ブラケット本体の前記アーチワイヤスロットに対して実質的に同じ鉛直位置に留まる間に行われる、アーチワイヤと、
を備えることを特徴とする歯科矯正ブラケット装置。
【請求項１５】
不正咬合を治療するための歯科矯正ブラケット装置であって、
患者の歯列弓に対して密に離間した関係で、前記歯列弓に沿って位置決めされる第１の元の構成を有するアーチワイヤであって、前記アーチワイヤは、実質的に均一な円形−正方形または円形−長方形の断面の形を有し、前記アーチワイヤの前記実質的に均一な断面の形は、２つだけの直径方向で相対する径方向に湾曲した面、及び、２つだけの直径方向で相対する平面状の面を有する、アーチワイヤと、
第１の歯科矯正ブラケット及び第２の歯科矯正ブラケットであって、前記第１の歯科矯正ブラケット及び前記第２の歯科矯正ブラケットの各々は、ブラケット本体、及び、前記ブラケット本体の後側に位置付けられるブラケット基部を有し、前記ブラケット本体は、患者の歯の前向き面に解除可能に固定されるように適合される後面をさらに有し、前記ブラケット本体は、前記ブラケット本体において画定されるアーチワイヤスロットへの開口を画定する前外側を向く面をさらに有し、前記アーチワイヤスロットは、ブラケット本体挿入体及び前記アーチワイヤを受け入れるような大きさとされ、前記ブラケット本体の前記前外側を向く部分は、移動可能ゲートをスライド可能に担持するように構成される、第１の歯科矯正ブラケット及び第２の歯科矯正ブラケットと、
を備え、
前記移動可能ゲートは、前向き面と、相対する後向き面とを有し、前記アーチワイヤスロットの開放に対する開位置と、前記アーチワイヤスロットの前記開放に対する閉位置との間でさらにスライド可能に移動可能であり、前記移動可能ゲートが前記アーチワイヤスロットの前記開放に対する前記閉位置に位置付けられるとき、前記移動可能ゲートの前記後向き面と前記アーチワイヤスロットとは、４つの角度によって画定される断面の四角形を有する４つの側部から構成されるアーチワイヤ通路を画定し、前記四角形のアーチワイヤ通路は、前記患者の歯に対する第１の次元の移動、第２の次元の移動、及び／または第３の次元の移動をもたらすように、所定の力を前記ブラケット本体に適用するために前記アーチワイヤを包囲して前記アーチワイヤと協働し、前記アーチワイヤは、前記四角形のアーチワイヤ通路の中で、前記ブラケット本体及び前記ブラケット基部に対して、軸方向に移動可能であり、前記移動可能ゲートの前記前向き面は、前記ブラケット本体の前記前外側を向く面によって画定される平面に実質的に沿って位置し、
隆条部が前記移動可能ゲートの前記前向き面に形成され、前記隆条部は、それぞれの前記ブラケット本体に対する前記移動可能ゲートの正確な角度配向を容易にし、
第１のブラケット基部は、前記患者の第１の歯の前面に解除可能に固定され、第１のブラケット本体は、第１の所定の力を前記第１の歯に向かわせ、前記第１の歯の結果生じる移動をもたらすように、前記第１のブラケット本体のそれぞれのブラケット基部に対する前記第１のブラケット本体のそれぞれの四角形のアーチワイヤ通路の第１の角度配向を確立し、
第２のブラケット基部は、前記患者の第２の歯の前面に解除可能に固定され、第２のブラケット本体は、第２の所定の力を前記第２の歯に向かわせ、前記第２の歯の結果生じる移動をもたらすように、前記第２のブラケット本体のそれぞれのブラケット基部に対する前記第２のブラケット本体のそれぞれの四角形のアーチワイヤ通路のための第２の角度配向を確立し、前記第１の角度配向は、それぞれの前記四角形のアーチワイヤ通路の前記第２の角度配向と異なり、
前記第１のブラケット本体と前記第２のブラケット本体とは、中心の同じ高さのアーチワイヤスロットの列形成と一列に並び、前記アーチワイヤは、力を前記第１の歯または前記第２の歯に付与するように第１の元の構成と異なる形を取るために、それぞれの前記ブラケット本体において画定されるそれぞれの前記アーチワイヤスロットの中での配置の前に意図的に歪められることがないことを特徴とする歯科矯正ブラケット装置。
【請求項１６】
前記４つの側部から構成されるアーチワイヤ通路の前記断面の四角形は平行四辺形である、請求項１５に記載の歯科矯正ブラケット装置。
【請求項１７】
前記４つの側部から構成されるアーチワイヤ通路の前記断面の四角形は菱形である、請求項１５に記載の歯科矯正ブラケット装置。
【請求項１８】
前記第１のブラケット基部及び前記第２のブラケット基部は、前記患者の前記歯列弓に沿って、歯から隣接する歯へと実質的に水平で一列に並べられる、請求項１５に記載の歯科矯正ブラケット装置。
【請求項１９】
前記第１の歯科矯正ブラケットの前記ブラケット基部は、前記第１の歯の長手方向軸に少なくとも一部基づいて、前記第１の歯において一列に並べられ、前記第２の歯科矯正ブラケットの前記ブラケット基部は、前記第２の歯の長手方向軸に少なくとも一部基づいて、前記第２の歯において一列に並べられる、請求項１５に記載の歯科矯正ブラケット装置。
【請求項２０】
前記移動可能ゲートの前記前向き面に形成される前記隆条部は、周囲の縁に隣接しつつ離間されて位置決めされ、前記隆条部は、前記移動可能ゲートが前記閉位置にあるとき、前記アーチワイヤ通路の正確な前記断面の四角形を維持するように前記移動可能ゲートを前記ブラケット本体に対して正確な所与の配向で維持するために、それぞれの前記ブラケット本体にスライド可能に摩擦で係合する、請求項１５に記載の歯科矯正ブラケット装置。
【請求項２１】
前記アーチワイヤ通路の前記断面の四角形は、前記アーチワイヤスロットの平行で内側を向く離間した上面及び下面と、前記アーチワイヤスロットの上を向く面と下を向く面との間で延びる前記ブラケット本体挿入体の前向き面と、前記移動可能ゲートの前記後向き面とによって画定され、前記アーチワイヤスロットの上内側を向く面と、前記アーチワイヤスロットの下内側を向く面と、前記ブラケット本体挿入体の前記前向き面と、前記移動可能ゲートの後内側を向く面とは、前記第１の歯科矯正ブラケット及び前記第２の歯科矯正ブラケットにおいてそれぞれ同様の空間的関係で配向される、請求項１５に記載の歯科矯正ブラケット装置。
【請求項２２】
前記ブラケット本体挿入体の前記前向き面は、それぞれの前記移動可能ゲートが開放している前記アーチワイヤスロットに対して閉位置にあるとき、前記移動可能ゲートの後内側を向く面と平行になる、請求項１５に記載の歯科矯正ブラケット装置。
【請求項２３】
前記ブラケット本体挿入体の前記前向き面は、それぞれの前記移動可能ゲートが開放している前記アーチワイヤスロットに対して閉位置にあるとき、前記移動可能ゲートの後内側を向く面と平行にならない、請求項１５に記載の歯科矯正ブラケット装置。
【請求項２４】
前記アーチワイヤ通路の前記四角形の断面の形の一部分を画定する４つの角の角度のうちの少なくとも１つが、所与の半径を有する丸められた角を有する、請求項１５に記載の歯科矯正ブラケット装置。
【請求項２５】
前記アーチワイヤの前記実質的に均一な断面の形は上を向く面と下を向く面とを有し、前記上を向く面と前記下を向く面とは、離間されており、一方が他方に対して平行な配向であり、さらに、２つだけの直径方向で相対する径方向に湾曲した凸状面の間で延びてそれら湾曲した面を連結する、請求項１５に記載の歯科矯正ブラケット装置。
【請求項２６】
前記アーチワイヤは、前記２つだけの直径方向で相対する径方向に湾曲した凸状面の間で測定される所定の直径を有し、前記アーチワイヤの前記所定の直径は、前記アーチワイヤが前記四角形のアーチワイヤ通路の中に位置付けられ、さらにそれぞれの前記ブラケット本体と協働するときに、前記第１の歯及び前記第２の歯の一貫した第１の次元の移動制御を維持するために選択され、２つだけの相対する平行な平面状の非湾曲の面の間で測定されるような前記アーチワイヤの厚さ寸法は、前記患者の前記第１の歯及び前記第２の歯への第２及び／または第３の次元の移動を容易にするように、それぞれの前記ブラケット本体への力の適用を制御／容易化する、請求項１５に記載の歯科矯正ブラケット装置。
【請求項２７】
前記アーチワイヤ通路は、前記アーチワイヤ通路の上内側を向く面と下内側を向く面との間で測定されるような高さ寸法を有し、前記アーチワイヤは、２つだけの相対する平行な平面状の非湾曲の面の間で測定されるような厚さ寸法を有し、前記厚さ寸法は、前記アーチワイヤ通路の前記高さ寸法の約５０％より大きく、前記厚さ寸法は、前記アーチワイヤの前記２つだけの直径方向で相対する径方向に湾曲した凸状面がそれぞれの前記歯の第１の次元の制御を維持する一方で、それぞれの前記歯への前記第２及び／または第３の次元の移動を容易にするように、ある大きさのトルク力をそれぞれの前記ブラケット本体に付与する、請求項１５に記載の歯科矯正ブラケット装置。
【請求項２８】
前記アーチワイヤの前記２つだけの直径方向で相対する径方向に湾曲した凸状面の各々は、１つだけの接触の点において、前記アーチワイヤ通路の内面に各々接触する、請求項１５に記載の歯科矯正ブラケット装置。
【請求項２９】
前記アーチワイヤの前記２つだけの直径方向で相対する径方向に湾曲した凸状面は、単一の共有される中心を有する円弧である、請求項１５に記載の歯科矯正ブラケット装置。
【請求項３０】
不正咬合を治療するための歯科矯正ブラケット装置であって、
患者の歯列弓に対して密に離間した関係で、前記歯列弓に沿って位置決めされる第１の元の構成を有するアーチワイヤであって、前記アーチワイヤは、その全長に沿って、実質的に均一な円形−正方形または円形−長方形の断面の形を有し、前記実質的に均一な断面の形は、２つだけの直径方向で相対する径方向に湾曲した凸状面、及び、２つだけの相対する平行な概して平面状の面を有し、前記２つだけの相対する平行な概して平面状の面は、前記２つだけの直径方向で相対する径方向に湾曲した凸状面の間で延びてそれら湾曲した面とつながる、アーチワイヤと、
第１の歯科矯正ブラケット及び第２の歯科矯正ブラケットであって、前記第１の歯科矯正ブラケット及び前記第２の歯科矯正ブラケットの各々は、ブラケット本体、及び、前記ブラケット本体の後側に位置付けられるブラケット基部を有し、各々の歯科矯正ブラケットは、患者の歯の前向き面に解除可能に固定されるように適合される後面、及び、各々の歯科矯正ブラケットの前記ブラケット本体において画定されるアーチワイヤスロットへの開口を画定する前外側を向く面をさらに有し、前記アーチワイヤスロットは、ブラケット本体挿入体及び前記アーチワイヤを受け入れるような大きさとされ、前記ブラケット本体の前記前外側を向く部分は、移動可能ゲートをスライド可能に担持するように構成され、前記移動可能ゲートは、前向き面と、相対する後向き面とを有し、前記アーチワイヤスロットの開放に対する開位置と、前記アーチワイヤスロットの前記開放に対する閉位置との間でさらにスライド可能に移動可能であり、前記移動可能ゲートが前記アーチワイヤスロットの前記開放に対する前記閉位置に位置付けられるとき、前記移動可能ゲートの前記後向き面と、前記ブラケット本体挿入体の前面と、前記アーチワイヤスロットの離間した上面及び下面とは、４つの角度によって画定される断面の四角形を有する結果生じるアーチワイヤ通路を画定し、前記四角形のアーチワイヤ通路は、前記患者の歯に対する第１の次元の移動、第２の次元の移動、または第３の次元の移動をもたらすように、所定の力を前記ブラケット本体に適用するために前記アーチワイヤを包囲して前記アーチワイヤと協働し、前記アーチワイヤは、前記四角形のアーチワイヤ通路の中で、前記ブラケット本体に対して、軸方向に移動可能であり、前記移動可能ゲートの前記前向き面は、前記ブラケット本体の前記前外側を向く面によって画定される平面に実質的に沿って位置し、前記移動可能ゲートの前記前向き面に形成される隆条部が、前記ブラケット本体に対する前記移動可能ゲートの正確な角度配向を摩擦的に維持し、前記第１の歯科矯正ブラケットは、前記患者の第１の歯の前面に解除可能に固定され、前記第１の歯科矯正ブラケットは、第１の所定の力を前記第１の歯に向かわせ、前記第１の歯の結果生じる移動をもたらすように、前記第１の歯科矯正ブラケットのそれぞれのブラケット基部に対する前記第１の歯科矯正ブラケットのそれぞれの四角形のアーチワイヤ通路の第１の角度配向を確立し、前記第２の歯科矯正ブラケットは、前記患者の第２の歯の前面に解除可能に固定され、前記第２の歯科矯正ブラケットは、第２の所定の力を前記第２の歯に向かわせ、前記第２の歯の結果生じる移動をもたらすように、前記第２の歯科矯正ブラケットのそれぞれのブラケット基部に対する前記第２の歯科矯正ブラケットのそれぞれの四角形のアーチワイヤ通路の第２の角度配向を確立し、前記第１の角度配向は前記第２の角度配向と異なり、前記第１の歯科矯正ブラケット及び前記第２の歯科矯正ブラケットは、中心の同じ高さのアーチワイヤスロットの列形成を達成する、第１の歯科矯正ブラケット及び第２の歯科矯正ブラケットと、
を備え、
前記アーチワイヤは、所定の力を前記第１の歯及び前記第２の歯に付与するように前記第１の元の構成と異なる形を取るために、意図的に歪められることがないことを特徴とする歯科矯正ブラケット装置。
【請求項３１】
前記アーチワイヤの前記２つだけの直径方向で相対する径方向に湾曲した凸状面は、単一の共有される中心を各々有する円弧である、請求項３０に記載の歯科矯正ブラケット装置。
【請求項３２】
前記アーチワイヤは、単一の所定の直径寸法と単一の所定の厚さ寸法とを有する細長い弾性の主本体を有し、前記弾性の主本体の前記単一の所定の直径寸法は、前記アーチワイヤの前記弾性の主本体が受け入れられ、前記歯科矯正治療レジメン全体を通じて前記四角形のアーチワイヤ通路の中に動作可能に包囲されるとき、前記患者の歯の一貫した第１の次元の移動制御を維持し、前記アーチワイヤの前記単一の所定の均一な厚さ寸法は、臨床医の選択可能で制御可能な第２及び／または第３の次元の前記患者の歯の移動を、選択された歯科矯正治療レジメンの間に、前記臨床医による前記アーチワイヤの任意の意図的な歪み、曲げ、捩じり、または変形なしで達成するように、受動的な結紮歯科矯正ブラケット本体への所与のトルク結合の適用を容易にし、前記アーチワイヤを包囲する前記四角形のアーチワイヤ通路は、前記四角形のアーチワイヤ通路の中心領域における包囲された前記アーチワイヤの配向を維持し、それによって、前記患者の歯の前記臨床医が選択した第１の次元の移動、第２の次元の移動、及び第３の次元の移動を達成し、前記アーチワイヤは、前記四角形のアーチワイヤ通路の深さ寸法より小さい所定の一定の直径寸法と、前記四角形のアーチワイヤ通路の高さ寸法の少なくとも５５パーセントである所定の一定の厚さ寸法とを有する、請求項３０に記載の歯科矯正ブラケット装置。
【請求項３３】
患者の歯列弓と密に離間した関係で、前記歯列弓に沿って位置決めされる第２の構成を有する第２のアーチワイヤをさらに備え、前記第２のアーチワイヤは、その全長に沿って、実質的に均一な円形−正方形または円形−長方形の断面の形を有し、前記実質的に均一な断面の形は、前記２つだけの直径方向で相対する径方向に湾曲した凸状面を有し、上を向く面と、相対する下を向く面とをさらに有し、前記上を向く面と前記相対する下を向く面とは、一方が他方に対して離間され、平行であり、前記２つだけの直径方向で相対する径方向に湾曲した凸状面の間で延びてそれら湾曲した面を連結し、前記第２のアーチワイヤの前記上を向く面と前記相対する下を向く面との間で測定されるような厚さ寸法が第１のアーチワイヤの厚さ寸法と異なる、請求項３０に記載の歯科矯正ブラケット装置。
【請求項３４】
前記アーチワイヤは、約０．０２２５ｍｍから約０．０３００ｍｍまでの範囲にある直径寸法を有する、請求項３０に記載の歯科矯正ブラケット装置。
【請求項３５】
前記アーチワイヤは、約０．０１０ｍｍから約０．０２０ｍｍまでの範囲にある厚さ寸法を有する、請求項３０に記載の歯科矯正ブラケット装置。
【請求項３６】
患者の歯の不正咬合を受動的な結紮歯科矯正装置システムで治療するための方法であって、
前記患者の歯を検査し、患者の歯列弓に沿って、歯科矯正治療を必要とする各々の個々の歯の現在の場所及び現在の配向を特定するステップと、
前記患者の歯列弓に沿って、各々の個々の歯の所望の場所及び所望の配向を決定するステップと、
各々の個々の歯を、前記患者の歯列弓に沿って、特定された前記現在の場所及び特定された前記現在の配向から、決定された前記所望の場所及び決定された前記所望の配向へと移動及び再配向するために必要な第１の次元の力、第２の次元の力、及び第３の次元の力を決定するステップと、前記患者の歯列弓に沿って、前記現在の場所及び前記現在の配向から、決定された前記所望の場所及び決定された前記所望の配向への各々の個々の歯の決定された前記所望の移動及び前記再配向を達成するために、各々の個々の歯について、適切なブラケット基部、適切なブラケット本体、及び適切なブラケット本体挿入体を選択するステップと、
選択された前記適切なブラケット基部を、特定された前記個々の歯の前向き面に取り付け、前記患者の直に隣接する歯における直に隣接するブラケット基部との中心の同じ高さのアーチワイヤの列形成を達成するために、選択された前記適切なブラケット基部を一列に並べるステップと、
選択された前記適切なブラケット本体を各々の取り付けられたブラケット基部に取り付け、中心の同じ高さのアーチワイヤスロットの列形成を維持する一方で、それぞれの前記歯の前記所望の移動を達成するために所定の前記第１の次元の力、前記第２の次元の力、及び前記第３の次元の力を発揮するように、取り付けられた前記ブラケット基部に対して各々の選択されたブラケット本体を配向するステップと、
選択された前記ブラケット本体挿入体を、前記ブラケット基部に取り付けられて前記ブラケット基部に対して配向された各々のブラケット本体へと設置し、前記所望のブラケット本体配向及び中心の同じ高さのアーチワイヤスロットの列形成を確立するように前記ブラケット基部に対して前記ブラケット本体を解除可能に位置的に固定及び維持するために、保持ピンを前記ブラケット本体挿入体及び前記ブラケット本体において画定された貫通孔に挿入するステップと、
個々の前記ブラケット基部に取り付けられたそれぞれの前記ブラケット本体によって画定された一列に並べられた前記中心の同じ高さのアーチワイヤスロットの中に動作可能に受け入れられる適切な第１のアーチワイヤを選択し、歯科矯正治療を受ける前記患者の歯の各々の前記所望の移動及び前記所望の配向を達成するために所定の前記第１の次元の力、前記第２の次元の力、及び前記第３の次元の力を発揮するステップであって、前記アーチワイヤは前記患者の歯列弓と形が同様である元の構成を有する、ステップと、選択された適切な前記第１のアーチワイヤを、各々のブラケット本体によって画定されたそれぞれの前記中心の同じ高さのアーチワイヤスロットへと、前記患者の歯列弓と実質的に同様である前記第１のアーチワイヤの元の構成からの前記第１のアーチワイヤの材料的な変形、曲げ、または捩じれなしで配置するステップと、
移動可能ゲートを各々の選択されたブラケット本体にスライド可能に取り付け、前記中心の同じ高さのアーチワイヤスロットが前記移動可能ゲート及び前記中心の同じ高さのアーチワイヤスロットの中の前記アーチワイヤによって実質的に閉じられ、さらに、前記中心の同じ高さのアーチワイヤスロットに対して軸方向のみにおいて移動可能となるように、前記移動可能ゲートを所定位置へと付勢するステップであって、前記アーチワイヤは、各々の個々の歯への第１の次元の移動、第２の次元の移動、及び第３の次元の移動を、歯科矯正治療を受ける任意の隣接する歯において同じ第１の次元の移動、同じ第２の次元の移動、または同じ第３の次元の移動を同時に発揮することなく発揮する、ステップと、
各々の歯の前記現在の場所及び前記現在の配向から、各々の歯の前記所望の場所及び前記所望の配向に向かう、前記患者の歯の各々の前記第１の次元の移動、前記第２の次元の移動、及び前記第３の次元の移動を監視するステップと、
歯科矯正治療を受ける前記患者の歯の各々が、所望の第１の次元の移動、所望の第２の次元の移動、及び所望の第３の次元の移動において、中間の場所、中間の配向、及び、前記第１のアーチワイヤがそれぞれの前記第１の次元の力、前記第２の次元の力、及び前記第３の次元の力をそれぞれの前記歯にもはや発揮しない、前記中心の同じ高さのアーチワイヤスロットの中に動作可能に受け入れられる前記アーチワイヤに対する中立位置へといつ移動したかを決定するステップと、
選択された前記第１のアーチワイヤを、前記ブラケット本体の各々によって画定されたそれぞれの前記中心の同じ高さのアーチワイヤスロットから取り外すステップと、
各々の個々の歯の前記所望の移動及び前記所望の配向を達成するように、それぞれの前記ブラケット基部に解除可能に取り付けられる前記ブラケット本体の各々によって個々に画定された前記中心の同じ高さのアーチワイヤスロットの中に動作可能に受け入れられるように適切な第２のアーチワイヤを選択するステップと、
選択された適切な前記第２のアーチワイヤを、各々のブラケット本体によって画定される前記中心の同じ高さのアーチワイヤスロットへと配置し、前記中心の同じ高さのアーチワイヤスロットの中で担持されて包囲される選択された前記第２のアーチワイヤが前記中心の同じ高さのアーチワイヤスロットの中において軸方向のみにおいて移動可能となるように前記中心の同じ高さのアーチワイヤスロットが前記移動可能ゲートによって少なくとも部分的に塞がれるように前記移動可能ゲートを所定位置へと付勢するステップであって、選択された前記第２のアーチワイヤは、個々の歯における臨床医が選択した第１の次元の移動、第２の次元の移動、及び／または第３の次元の移動を、前記患者の任意の隣接する歯における同じ第１の次元の移動、同じ第２の次元の移動、及び同じ第３の次元の移動を発揮することなく発揮する、ステップと、
各々の歯について、前記中間の場所及び前記中間の配向から、前記所望の最終的な場所及び前記所望の最終的な配向に向かう、前記患者の歯の各々の前記第１の次元の移動、前記第２の次元の移動、及び前記第３の次元の移動を監視するステップと、
各々の個々の歯が、所望の第１の次元の移動、所望の第２の次元の移動、及び所望の第３の次元の移動において、前記アーチワイヤスロットの中の選択された前記第２のアーチワイヤに対する中立位置へと、ならびに、前記所望の最終的な場所及び前記所望の最終的な配向へといつ移動したかを決定するステップと、
選択された前記第２のアーチワイヤ、それぞれの前記ブラケット本体挿入体、それぞれの前記ブラケット本体、及びそれぞれの前記ブラケット基部を前記患者の歯から取り外すステップと、
を含むことを特徴とする方法。
【請求項３７】
前記ブラケット本体挿入体を前記アーチワイヤスロットから少なくとも部分的に取り外すことで、それぞれの前記ブラケット基部に対する各々のブラケット本体の配向を調節するステップと、
それぞれの前記ブラケット本体をそれぞれの前記ブラケット基部に対して新しい第２の所望の配向へと移動させるステップと、
前記新しい第２の所望の配向において前記ブラケット本体を前記ブラケット基部に解除可能に位置的に固定するために前記ブラケット本体挿入体を再設置するステップと、
臨床医が選択した第１の次元の力、第２の次元の力、及び第３の次元の力をそれぞれの前記歯に発揮するように、前記アーチワイヤを前記アーチワイヤスロットへと配置するステップと、
をさらに含む、請求項３６に記載の方法。
【請求項３８】
前記アーチワイヤは、中心を通過する線に沿って測定される、２つだけの直径方向で相対する径方向に湾曲した凸状面の間で延び、約０．０２２５ｍｍから約０．０３００ｍｍまでの範囲にある単一の一定の直径寸法と、２つの直径方向で相対する概して平面状の上面及び下面の間で垂直に延びる線に沿って測定される、約０．０１０ｍｍから約０．０２０ｍｍまでの範囲にある単一の一定の厚さ寸法とを有する、請求項３６に記載の方法。
【請求項３９】
前記アーチワイヤは、中心を通過する線に沿って測定される、２つだけの直径方向で相対する径方向に湾曲した凸状面の間で延びる、約０．０２７５ｍｍの直径寸法を有する、請求項３６に記載の方法。
【請求項４０】
前記アーチワイヤは、２つの直径方向で相対する概して平面状の上面及び下面の間で垂直に延びる線に沿って測定される、約０．０１４ｍｍから約０．０１８ｍｍまでの範囲にある厚さ寸法を有する、請求項３６に記載の方法。
【請求項４１】
前記ブラケット本体挿入体は、前記ブラケット本体挿入体及び前記ブラケット本体において画定され、前記ブラケット本体挿入体及び前記ブラケット本体に対して一列に並べられる横断孔を通じて延びる保持ピンによって、前記ブラケット本体及び前記ブラケット基部に対して調節可能に固定される、請求項３６に記載の方法。
【発明の詳細な説明】
【技術分野】
【０００１】
関連出願
この通常の特許出願は、２０１５年５月４日に出願された同時継続の米国特許出願第１４／７０２，９６１号の一部継続（ＣＩＰ）特許出願である。本発明の発明者は、以前に出願された同時継続の米国特許出願第１４／７０２，９６１号の発明者と同じ名前である。前述の同時継続の米国特許出願第１４／７０２，９６１号の全体の内容及びその教示は、本明細書において参照により明示的に組み込まれている。
【０００２】
本発明は、不正咬合を治療するための歯科矯正ブラケット装置及び方法に関し、より詳細には、数多くのトルク表現を提供するために、新規のアーチワイヤとの組み合わせで、様々な形態で動作可能とさせることができ、患者の歯において個別に強制的に作用する一方で、同時に、患者の歯の前向き面において実質的に同じ相対的な配向で留まる歯科矯正ブラケットに関する。さらに、新しい歯科矯正ブラケットは、所定の臨床的に相当の移動を患者の歯に付与する所与のトルク表現を達成するように、関連するアーチワイヤを変形するかまたは曲げさえする先行技術の実施を排除する。
【背景技術】
【０００３】
それらの教示が本明細書において参照により明示的に全体で組み込まれている我々の以前の米国特許出願第１４／７０２，９６１号及び特許文献１では、我々は、治療の状況において臨床医によって簡単及び容易に利用され、また、臨床医が選択した患者の歯の第１の次元の移動、第２の次元の移動、及び／または第３の次元の移動をこれまでは不可能であった手法で達成するために新しい歯科矯正ブラケットを移動可能に調節するための便利な手段をさらに提供する新規の歯科矯正ブラケットを開示している。具体的には、前述の新しい新規の歯科矯正ブラケットは、患者の歯の前向き面に固定されるブラケット基部を備え、さらに、ブラケット基部が歯に適切に固定されるとき、移動の固定軸においてブラケット基部に対して部分的に回転可能に移動可能であるブラケット本体と、アーチワイヤとを有する。本特許出願の教示は、ブラケット基部から解除可能に取り外しできるブラケット本体を開示しており、歯科矯正治療レジメンを前進させることと、過去に用いられていた先行技術の器具では不可能であった手法で患者の歯の所望の第１の次元の移動、第２の次元の移動、及び第３の次元の移動を達成することとにおいて、幅広い治療の選択肢を臨床医に提供するために、所与の歯科矯正計画の間にブラケット基部に解除可能に取り付けられる代替のブラケット本体を開示している。
【０００４】
２０１５年１２月２１日に出願された我々の最近の特許文献１では、アーチワイヤスロットを有する受動的な結紮歯科矯正ブラケットとの使用のためのアーチワイヤを開示しており、アーチワイヤは、受動的な結紮ブラケットのアーチワイヤスロットの中に受け入れられる寸法とされる細長く弾性的な主本体をさらに備える。アーチワイヤの弾性的な主本体は、所定の周囲の幅寸法と変化する厚さ寸法とを有する円形−正方形または円形−長方形の断面を有する。新しいアーチワイヤの弾性的な主本体の周囲の幅寸法は、アーチワイヤの弾性的な主本体がアーチワイヤスロットの中に受け入れられ、受動的な結紮ブラケット本体と協働するとき、患者の歯の一貫した第１の次元の移動を少なくとも一部で維持する。新しいアーチワイヤの変化する厚さ寸法は、臨床医の選択可能で制御可能な患者の歯の第２の次元の移動及び第３の次元の移動を達成するように、受動的な結紮歯科矯正ブラケットへの力の調節可能な適用を容易にする。この継続中の米国特許出願に記載されているようなアーチワイヤは、特許文献２において教示されているような歯科矯正ブラケットの設計で使用されるとき、特に有用であることが分かっている。特許文献２に記載されているような歯科矯正ブラケットの導入の前に、受動的な自己結紮歯科矯正ブラケットは市販されており、患者の歯に対する第１の次元の制御、第２の次元の制御、または第３の次元の制御を提供している。これらの先行技術の自己結紮歯科矯正ブラケットのいくつかの形態は図面において見られる（図１〜図３）。これらの先行技術の受動的な自己結紮歯科矯正ブラケットは、望まれて表現されているトルク制御の種類に基づいて、変化する角度の配向を有する前向き面を提供することをとりわけ含む一部の臨床的な状況において用いられる一方で、欠点を呈する。例えば、先行技術は、大きいトルク結合または小さいトルク結合（それぞれ図１及び図３）を表現することができる歯科矯正ブラケットを備える。これらの具体的な歯科矯正ブラケットは、異なる前を向く平面に沿って配向される前向き面を有する。当然ながら、これらの前向き面は、着用する患者の唇の内側と接触し、これらの歯科矯正ブラケットを着用する患者に対して異なる身体的感覚（いわゆる「口当たり」）をもたらすことがある。なおもさらには、これらの先行技術の歯科矯正ブラケット（図１及び図３）のパッドにおけるブラケット本体の配向は、タイウイング間隔、つまり、ブラケット本体のタイウイングと、患者の歯の前向き面に固定された隣接するパッドとの間の空間が、ブラケット本体の上を向く面と下を向く面との間で測定されるときに変化するようになっている。その結果、一部の臨床医は、個々のアーチワイヤをアーチワイヤスロットの中に配置して固定するのが困難であることにしばしば直面し、さらに、ブラケット本体を患者の歯において支持する隣接するパッドに対するブラケット本体の小さな空間的公差のため、患者が自身の歯の清潔さを保つのがしばしば困難である。これは、大きい結合及び小さい結合（図１及び図３）を表現する歯科矯正ブラケットについて特に当てはまる。なおもさらには、特には患者の上顎犬歯または下顎犬歯において、これらの歯科矯正ブラケットの臨床的に所望の展開、配置、または設置を達成することは、しばしば問題になることが分かっている。図１〜図３を検討することによって想像できるように、患者の隣接する歯において臨床医による、及び、同じ水平面において、それぞれのパッドが一列に並べられることの位置合わせによる、これらの先行技術の歯科矯正ブラケットが視覚的に一列に並べられることは、各々のブラケット本体の異なる角度配向のため、達成するのは事実上不可能である。また、これらの先行技術の受動的な結紮歯科矯正ブラケットの使用は、ブラケット本体の物理的配向が、しばしば妨げられるため、または、矯正を受ける個々の歯に適用される適切な大きさのトルクを容易にする理想的なアーチワイヤスロットの列形成を達成するために、臨床医がそれぞれの歯科矯正ブラケットを隣接する歯において適切に配向することを問題のあるものにするため、多くの臨床医にとって他の認識されている困難をしばしば作り出す。図１〜図３に示された水平線は、ブラケット自体が一列に並べられているが、アーチワイヤスロットの中心が一列に並べられていないことを示している。
【０００５】
前述した困難にも拘わらず、先行技術の歯科矯正ブラケットは、従来のアーチワイヤと使用されるとき、ブラケットが歯科矯正ブラケットの基部またはパッドを通じて取り付けられた歯へのトルクの伝達によって、患者の歯の移動に有効であった（これは、「トルクインベースブラケット」としばしば称される）。これらの先行技術の歯科矯正ブラケットは、歯科矯正治療の品質に進歩をもたらし、多くの臨床医によって利用されてきた。しかしながら、これらの器具におけるＣチェーンの配置及び伸縮性をしばしば制限する、タイウイング間隔に関連する問題と、同じ高さのアーチワイヤスロットの列形成を試みて達成するために、歯科矯正ブラケットを隣接する歯科矯正ブラケットと一列に並べることに関連する問題とにより、これらの歯科矯正ブラケットは、期待されるほど臨床医によって幅広く利用されていない。実際、前述の欠点は、望まれている種類の歯科矯正治療を達成するために受動的な結紮歯科矯正ブラケットを利用することへの多くの臨床医の主な異議のうちの１つである。前述の認識されている欠点を考慮して、多くの臨床医は、この種類または様式の歯科矯正ブラケットを自身の臨床の実施において用いていない。その結果、多くの患者についての治療時間がしばしば過度に長くなり、多くの場合において、臨床医は、自身の患者にとって望まれる適切な最終的な歯の配向を達成することができない。
【０００６】
特許文献２において見られるような前述の新しい歯科矯正ブラケット、及び、特許文献１に記載されているような新しいアーチワイヤは、かなりの成功を伴って効果があったが、上顎犬歯及び下顎犬歯など、患者の歯における歯科矯正ブラケットの適切な配向または配置を確立するときにいくつかの困難がなおも臨床医には残ったままである。これらの認識されている問題及び他の認識されている問題は、互いに対する適切な配向、及び、他のいくらか問題のある歯への適切な配向での歯科矯正ブラケットの配置と関連する、様々な臨床医が認識した問題及び他の欠点への可及的な解決策を検討することを、発明者の各々に突き詰めて考えさせてきた。この研究及びその後の調査は、先行技術（図１〜図３）の認識されている欠点に加えて、以前の米国特許において見られたような歯科矯正ブラケットの使用によって提供される多くの利点と、この同じ歯科矯正ブラケットの使用及び動作を高めた新しいアーチワイヤとの両方の再評価をもたらした。この調査は、不正咬合を治療するための新しい歯科矯正ブラケット装置及び方法の作成をもたらし、これが本出願の主題である。
【先行技術文献】
【特許文献】
【０００７】
【特許文献１】米国特許出願第１４／９７６，０７４号
【特許文献２】米国特許第９，１９８，７４０号
【発明の概要】
【発明が解決しようとする課題】
【０００８】
本発明の歯科矯正ブラケットは、先に詳述した先行技術の受動的な結紮歯科矯正ブラケット（図１〜図３）と関連する不利益及び欠点を回避し、臨床医が矯正するのがしばしば困難であった、上顎犬歯及び下顎犬歯などの問題のある不正咬合の歯のために、第１の次元の制御、第２の次元の制御、または第３の次元の制御を提供するときに臨床医の追加の臨床的な選択肢をさらに可能にする。不正咬合を治療するための新しい歯科矯正ブラケット装置及び方法が、本特許出願の主題である。
【課題を解決するための手段】
【０００９】
本発明の第１の態様は、臨床医によって選択される歯科矯正治療レジメンを必要とする患者の歯の前向き面への解除可能な取り付けのために構成されるブラケット基部と、歯科矯正治療レジメンの間に患者の歯の前向き面からブラケット基部を取り外すことなく、治療する臨床医による患者のための歯科矯正治療レジメンを容易にするように、ブラケット基部と個々に嵌まり合って調節可能及び連続的に協働できる複数のブラケット本体であって、複数のブラケット本体の各々は、前向き面の部分に３つの側部から構成されるアーチワイヤスロットを画定し、３つの側部から構成されるアーチワイヤスロットは、２つの離間された平行な側壁、スロット開口、及び、スロット開口と反対側の基礎壁を有する、複数のブラケット本体と、アーチワイヤスロットの中において、基礎壁に隣接して解除可能に担持されるブラケット本体挿入体であって、ブラケット本体をブラケット基部に対して所望の角度配向で位置的に固定するために、ブラケット基部とつながる係合部分を有するブラケット本体挿入体と、複数のブラケット本体の各々によって画定されるアーチワイヤスロットとの解除可能な同時の係合のためのアーチワイヤであって、アーチワイヤは、患者の歯列弓に対して密に離間した関係で、歯列弓に沿って位置決めされる第１の元の構成を有し、アーチワイヤは、実質的に均一な円形−正方形または円形−長方形の断面の形を有し、実質的に均一な断面の形は、２つだけの直径方向で相対する径方向に湾曲した面を有する、アーチワイヤとを備える、不正咬合を治療するための歯科矯正ブラケット装置及び方法である。
【００１０】
本発明のさらなる態様は、ブラケット基部が、前向き面と後向き面とをそれらの間に厚さ寸法を伴って有し、ブラケット基部の第１の縁部分における厚さ寸法は、ブラケット基部の離間した第２の縁部分における厚さ寸法と異なり、第１の縁部分から第２の縁部分までのブラケット基部の異なる厚さ寸法は、直線的であり、おおよそ６．５°から８．５°の間の角形成となる、歯科矯正ブラケット装置である。
【００１１】
本発明のさらなる態様は、アーチワイヤスロットの基礎壁からブラケット本体の相対する後面へとつながる、ブラケット本体において画定される中間通路と、後面に隣接しつつ離間されて、アーチワイヤスロットに対して垂直に、ブラケット本体に画定される横断して延びる貫通孔であって、中間通路と交差し、保持ピンを解除可能に担持するように構成される横断貫通孔とをさらに備え、ブラケット本体挿入体は、第１の端、第２の端、上部、下部、前向き面、後向き面を伴う細長い主本体と、ブラケット本体によって画定される中間通路の中に軸方向で受け入れられるように構成される係合部材と、を有し、係合部材は、第１の端と第２の端との間の中間で、後向き面から概して垂直に延び、係合部材は、主本体から離間させられる遠位端をさらに有し、上部と下部との間、及び、遠位端と主本体との間でつながる細長い孔を画定し、係合部材がブラケット本体によって画定される中間通路の中に係合させられるとき、細長い孔は、ブラケット本体に画定された横断貫通孔と一列に並べられ、係合部材は、中間通路の周囲面と摩擦でつながる摩擦突起部を、係合部材と摩擦突起部との間の「移動」を排除するようにそれ自体において担持し、係合部材において画定される細長い孔は、それ自体を通じて延びる保持ピンと協働して、ブラケット本体を、それぞれのブラケット基部に対して回転可能に移動させることができるように、ブラケット本体に対するブラケット本体挿入体の限定された軸方向の移動を可能にして、治療している臨床医が、患者の歯科矯正治療レジメンを容易にするように、それぞれのブラケット基部に対するそれぞれのブラケット本体の相対位置を調節することを許容する、歯科矯正ブラケット装置である。
【００１２】
本発明のさらなる態様は、ブラケット本体挿入体が、それぞれのブラケット本体と動作可能に協働し、歯科矯正治療レジメンの間、それぞれのブラケット本体を、ブラケット基部及び記患者の歯に対して所定の配向でさらに解除可能に固定し、それぞれのブラケット本体は、アーチワイヤスロットを画定する前向き面と、ブラケット基部と移動可能に協働する反対側の後向き面とを各々有し、ブラケット本体挿入体はアーチワイヤスロットに受け入れられるように適合した寸法とされ、通路が、それぞれのブラケット本体を通じてアーチワイヤスロットからそれぞれのブラケット本体の後向き面へと延び、ブラケット本体挿入体は、端部分においてフランジ部分を有する細長い主本体をさらに備え、フランジ部分は、ブラケット本体に対して外向きに延び、ブラケット本体挿入体がブラケット本体及びブラケット基部の両方と係合されるとき、ブラケット基部の側方部分において画定される側方凹部の中に受け入れられる寸法とされ、フランジ部分は、それぞれのブラケット本体及びアーチワイヤスロットに対するブラケット本体挿入体の限定された移動を可能にするように構成されるが、アーチワイヤスロットからのブラケット本体挿入体の取り外しを防止せず、ブラケット本体に対するブラケット本体挿入体の限定された移動は、臨床医が、患者の歯科矯正治療レジメンを容易にするように、ブラケット基部に対するそれぞれのブラケット本体の相対位置を調節することを可能にする、歯科矯正ブラケット装置である。
【００１３】
本発明のさらなる態様は、複数ステップの歯科矯正治療方法または歯科矯正治療レジメンが、個々の特有の歯科矯正異常を有する患者の複数の歯の治療を含み、同じブラケット基部が、患者の歯の各々に用いられ、歯科矯正治療レジメン全体の間に患者の歯に固定されたままである、歯科矯正ブラケット装置である。
【００１４】
本発明のさらなる態様は、患者の複数の歯のうちの１つの前向き面に解除可能に保持されるブラケット基部であって、患者の歯のうちの少なくとも一部は、臨床医によって実質的に同時に実施される歯科矯正治療レジメンを必要とし、ブラケット基部は、隣接する歯に対して角形成を提供するようにブラケット基部の相対する縁部分において異なる厚さ寸法を有し、ブラケット基部は、歯科矯正治療レジメンの間に患者の歯の前向き面に固定されたままである、ブラケット基部と、歯科矯正治療レジメンを容易にするように、ブラケット基部と個々に嵌まり合って連続的に協働でき、ブラケット基部に対して部分的に回転できる複数のブラケット本体であって、各々のブラケット本体は、前面部分に３つの側部から構成されるアーチワイヤスロットを画定し、各々のアーチワイヤスロットは、２つの離間された平行な側壁、スロット開口、及び、スロット開口と反対側の基礎壁を有し、３つの側部から構成される各々のアーチワイヤスロットは、中心領域及び中心をさらに有し、複数のブラケット本体は、アーチワイヤスロットの中心と、歯科矯正治療レジメンを受けている患者の他の隣接する歯に位置付けられるなおも他のブラケット本体の他のアーチワイヤスロットの中心との間で延びる所与の参照の線に沿ってさらに配向される、複数のブラケット本体と、それぞれのブラケット本体の各々の３つの側部から構成されるアーチワイヤスロットの間で延び、アーチワイヤスロットの中に受け入れられ、歯科矯正治療レジメンをさらに受けるそれぞれの患者の歯の前向き面に解除可能に位置決めされるアーチワイヤであって、それぞれのブラケット基部に対するブラケット本体の部分的な回転は、臨床医が、アーチワイヤスロットの中に実質的に包囲されるアーチワイヤを強制的に係合することで、所定の大きさのトルクを患者のそれぞれの歯に付与することを許容し、ブラケット基部と解除可能に係合するブラケット本体の所定の大きさのトルクの調節及び／または交換は、各々のブラケット本体アーチワイヤスロットの中心が、所定の参照の線に沿って実質的に配向されて留まり、患者の隣接する歯に位置付けられるブラケット本体のアーチワイヤスロットに対して実質的に同じ鉛直位置に留まる間に行われる、アーチワイヤとを備える、不正咬合を治療するための歯科矯正ブラケット装置である。
【００１５】
本発明のさらなる態様は、患者の歯列弓に対して密に離間した関係で、歯列弓に沿って位置決めされる第１の元の構成を有するアーチワイヤであって、アーチワイヤは、実質的に均一な円形−正方形または円形−長方形の断面の形を有し、実質的に均一な断面の形は、２つだけの直径方向で相対する径方向に湾曲した面を有する、アーチワイヤと、第１の歯科矯正ブラケット及び第２の歯科矯正ブラケットであって、第１の歯科矯正ブラケット及び第２の歯科矯正ブラケットの各々は、ブラケット本体、及び、ブラケット本体の後側に位置付けられるブラケット基部を有し、患者の歯の前向き面に解除可能に固定されるように適合される後面をさらに有し、各々のブラケット本体は、ブラケット本体において画定される３つの側部から構成されるアーチワイヤスロットへの開口を画定する前外側を向く面をさらに有し、３つの側部から構成されるアーチワイヤスロットは、アーチワイヤを受け入れるような大きさとされ、ブラケット本体の前外側を向く部分は、移動可能ゲートをスライド可能に担持するように構成され、移動可能ゲートは、前向き面と、相対する後向き面と、を有し、アーチワイヤスロットの開放に対する開位置と、アーチワイヤスロットの開放に対する閉位置との間でさらにスライド可能に移動可能であり、移動可能ゲートがアーチワイヤスロットの開放に対する閉位置に位置付けられるとき、移動可能ゲートの後向き面とアーチワイヤスロットとは、必ずしも直角ではない４つの角度によって画定される断面の四角形を有する４つの側部から構成されるアーチワイヤ通路を画定し、四角形のアーチワイヤ通路は、患者の歯に対する第１の次元の移動、第２の次元の移動、または第３の次元の移動をもたらすように、所定の力をブラケット本体に適用するためにアーチワイヤを実質的に包囲してアーチワイヤと協働し、アーチワイヤは、四角形のアーチワイヤ通路の中で、ブラケット本体に対して、軸方向に移動可能であり、移動可能ゲートの前向き面は、ブラケット本体の前外側を向く面によって画定される平面に実質的に沿って位置し、移動可能ゲートの前向き面における隆条部が、ブラケット本体に対する移動可能ゲートの正確な角度配向を維持し、第１の歯科矯正ブラケットは、患者の第１の歯の前面に解除可能に固定され、第１の歯科矯正ブラケットは、第１の所定の力を第１の歯に向かわせ、第１の歯の結果生じる移動をもたらすように、第１の歯科矯正ブラケットのそれぞれのブラケット本体に対する第１の歯科矯正ブラケットのそれぞれの四角形のアーチワイヤ通路の第１の角度配向を有し、第２の歯科矯正ブラケットは、患者の第２の歯の前面に解除可能に固定され、第２の歯科矯正ブラケットは、第２の所定の力を第２の歯に向かわせ、第２の歯の結果生じる移動をもたらすように、第２の歯科矯正ブラケットのそれぞれのブラケット本体に対する第２の歯科矯正ブラケットのそれぞれの四角形のアーチワイヤ通路のための第２の角度配向を有し、第１の角度配向は第２の角度配向と異なり、第１の歯科矯正ブラケット及び第２の歯科矯正ブラケットは、中心の同じ高さのアーチワイヤスロットの列形成と一列に並び、アーチワイヤは、力を第１の歯または第２の歯に付与するように第１の元の構成と異なる形を取るために、それぞれのブラケット本体において画定されるそれぞれのアーチワイヤスロットの中での配置の前に意図的に歪められることがない、第１の歯科矯正ブラケット及び第２の歯科矯正ブラケットと、を備える、不正咬合を治療するための歯科矯正ブラケット装置である。
【００１６】
本発明のさらなる態様は、４つの側部から構成されるアーチワイヤ通路の断面の四角形が平行四辺形である、歯科矯正ブラケット装置である。
【００１７】
本発明のさらなる態様は、第１の歯科矯正ブラケットのブラケット基部が、第１の歯の長手方向軸に少なくとも一部基づいて、第１の歯において一列に並べられ、第２の歯科矯正ブラケットのブラケット基部は、第２の歯の長手方向軸に少なくとも一部基づいて、第２の歯において一列に並べられる、歯科矯正ブラケット装置である。
【００１８】
本発明のさらなる態様は、移動可能ゲートの前向き面における隆条部が、周囲の縁に隣接しつつ離間されて位置決めされ、隆条部は、移動可能ゲートが閉位置にあるとき、アーチワイヤ通路の正確な断面の四角形を維持するように移動可能ゲートをブラケット本体に対して正確な所与の配向で維持するために、それぞれのブラケット本体にスライド可能に係合する、歯科矯正ブラケット装置である。
【００１９】
本発明のさらなる態様は、アーチワイヤ通路の断面の四角形が、３つの側部から構成されるアーチワイヤスロットの平行で内側を向く離間した上面及び下面と、３つの側部から構成されるアーチワイヤスロットの上を向く面と下を向く面との間で延びるブラケット本体挿入体の前向き面と、移動可能ゲートの後向き面とによって画定され、３つの側部から構成されるアーチワイヤスロットの上内側を向く面と、３つの側部から構成されるアーチワイヤスロットの下内側を向く面と、ブラケット本体挿入体の前向き面と、移動可能ゲートの後内側を向く面と、が、第１の歯科矯正ブラケット及び第２の歯科矯正ブラケットにおいて同じ空間的関係で配向される、歯科矯正ブラケット装置である。
【００２０】
本発明のさらなる態様は、ブラケット本体挿入体の前向き面が、それぞれの移動可能ゲートが開放している３つの側部から構成されるアーチワイヤスロットに対して閉位置にあるとき、移動可能ゲートの後内側を向く面と平行になる、または、平行にならない、歯科矯正ブラケット装置である。
【００２１】
本発明のさらなる態様は、アーチワイヤの実質的に均一な断面の形が上を向く面と下を向く面とを有し、上を向く面と下を向く面とは、離間されて平行であり、２つだけの直径方向で相対する径方向に湾曲した凸状面の間で延びてそれら湾曲した面を連結する、歯科矯正ブラケット装置である。
【００２２】
本発明のさらなる態様は、アーチワイヤが、２つだけの直径方向で相対する径方向に湾曲した凸状面の間に所定の直径を有し、所定の直径は、アーチワイヤが四角形のアーチワイヤ通路の中にあり、それぞれのブラケット本体と協働するときに、患者の第１の歯及び患者の第２の歯の一貫した第１の次元の移動制御を維持するために選択され、２つの相対する平行な平面状の非湾曲の面の間のアーチワイヤの厚さ寸法は、患者の第１の歯及び第２の歯への第２の次元の移動または第３の次元の移動を向かわせるために、それぞれのブラケット本体への力の適用を制御する、歯科矯正ブラケット装置である。
【００２３】
本発明のさらなる態様は、アーチワイヤ通路が、アーチワイヤスロットの上内側を向く面と下内側を向く面との間に高さ寸法を有し、アーチワイヤが、２つの相対する平行な平面状の非湾曲の面の間に厚さ寸法を有し、厚さ寸法が、アーチワイヤ通路の高さ寸法の約５０％より大きく、厚さ寸法は、アーチワイヤの２つだけの直径方向で相対する径方向に湾曲した凸状面がそれぞれの歯の第１の次元の制御を維持する一方で、それぞれの歯への第２の次元の移動または第３の次元の移動を向かわせるように、ある大きさのトルク力をそれぞれのブラケット本体に付与する、歯科矯正ブラケット装置である。
【００２４】
本発明のさらなる態様は、アーチワイヤの２つの直径方向で相対する径方向に湾曲した面の各々が、１つだけの接触の点において、アーチワイヤ通路の内面に各々接触する、歯科矯正ブラケット装置である。
【００２５】
本発明のさらなる態様は、アーチワイヤの２つの直径方向で相対する径方向に湾曲した面は、単一の共有される中心を有する円弧である、歯科矯正ブラケット装置である。
【００２６】
本発明のさらなる態様は、患者の歯列弓に対して密に離間した関係で、歯列弓に沿って位置決めされる第１の元の構成を有するアーチワイヤであって、アーチワイヤは、実質的に均一な円形−正方形または円形−長方形の断面の形を有し、実質的に均一な断面の形は、２つだけの直径方向で相対する凸状の径方向に湾曲した面を有する、アーチワイヤと、第１の歯科矯正ブラケット及び第２の歯科矯正ブラケットであって、第１の歯科矯正ブラケット及び第２の歯科矯正ブラケットの各々はブラケット本体及びブラケット基部を有し、ブラケット基部は、ブラケット本体の後側に隣接し、患者の歯の前向き面に解除可能に固定されるように適合される後面を有し、ブラケット本体は、ブラケット本体において画定されるアーチワイヤスロットへの開口を画定する前外側を向く面をさらに有し、アーチワイヤスロットは、アーチワイヤを受け入れるような大きさとされ、ブラケット本体の前外側を向く部分は、移動可能ゲートをスライド可能に担持するように構成され、移動可能ゲートは、前向き面と、相対する後向き面とを有し、アーチワイヤスロットの開放に対する開位置と、アーチワイヤスロットの開放に対する閉位置との間でスライド可能に移動可能であり、移動可能ゲートがアーチワイヤスロットに対する閉位置に位置付けられるとき、移動可能ゲートの後向き面とアーチワイヤスロットとは、４つの角度を有する断面の四角形を有する４つの側部から構成されるアーチワイヤ通路を画定し、四角形のアーチワイヤ通路は、患者の歯に対する第１の次元の移動、第２の次元の移動、または第３の次元の移動を向かわせるように、所定の力をブラケット本体及びブラケット基部に適用するためにアーチワイヤを包囲してアーチワイヤと協働し、アーチワイヤは、四角形のアーチワイヤ通路の中で軸方向に移動可能であり、第１の歯科矯正ブラケットは、第１の歯科矯正ブラケットのそれぞれのブラケット本体に対する第１の歯科矯正ブラケットのそれぞれの四角形のアーチワイヤ通路の第１の角度配向を有し、第２の歯科矯正ブラケットは、第２の歯科矯正ブラケットのそれぞれのブラケット本体に対する第２の歯科矯正ブラケットのそれぞれの四角形のアーチワイヤ通路の第２の角度配向を有し、第１の角度配向は第２の角度配向と異なり、第１の歯科矯正ブラケット及び第２の歯科矯正ブラケットは、中心の同じ高さのアーチワイヤスロットの列形成と一列に並び、アーチワイヤは、力を第１の歯または第２の歯に付与するように第１の元の構成と異なる形を取るために、意図的に歪められることがない、第１の歯科矯正ブラケット及び第２の歯科矯正ブラケットとを備える、不正咬合を治療するための歯科矯正ブラケット装置である。
【００２７】
本発明のさらなる態様は、患者の歯列弓と密に離間した関係で、歯列弓に沿って位置決めされる第２の構成を有する第２のアーチワイヤをさらに備え、第２のアーチワイヤは、実質的に均一な円形−正方形または円形−長方形の断面の形を有し、実質的に均一な断面の形は、２つだけの直径方向で相対する凸状の径方向に湾曲した面を有し、上を向く面と、相対する下を向く面とをさらに有し、上を向く面と相対する下を向く面とは、離間され、平行であり、２つの直径方向で相対する凸状の径方向に湾曲した面の間で延びてそれら湾曲した面を連結し、第２のアーチワイヤの上を向く面と相対する下を向く面との間の寸法が第１のアーチワイヤの寸法と異なる、不正咬合を治療するための歯科矯正ブラケット装置である。
【００２８】
本発明のさらなる態様は、患者の歯列弓に対して密に離間した関係で、歯列弓に沿って位置決めされる第１の元の構成を有するアーチワイヤであって、アーチワイヤは、その全長に沿って、実質的に均一な円形−正方形または円形−長方形の断面の形を有し、実質的に均一な断面の形は、２つだけの直径方向で相対する径方向に湾曲した凸状面、及び、２つだけの相対する平行な概して平面状の面を有し、２つだけの相対する平行な概して平面状の面は、２つだけの直径方向で相対する径方向に湾曲した凸状面の間で延びてそれら湾曲した面とつながる、アーチワイヤと第１の歯科矯正ブラケット及び第２の歯科矯正ブラケットであって、第１の歯科矯正ブラケット及び第２の歯科矯正ブラケットの各々は、ブラケット本体、及び、ブラケット本体の後側に位置付けられるブラケット基部を有し、患者の歯の前向き面に解除可能に固定されるように適合される後面をさらに有し、ブラケット本体は、ブラケット本体において画定される３つの側部から構成されるアーチワイヤスロットへの開口を画定する前外側を向く面をさらに有し、３つの側部から構成されるアーチワイヤスロットは、ブラケット本体挿入体及びアーチワイヤを受け入れるような大きさとされ、ブラケット本体の前外側を向く部分は、移動可能ゲートをスライド可能に担持するように構成され、移動可能ゲートは、前向き面と、相対する後向き面とを有し、３つの側部から構成されるアーチワイヤスロットの開放に対する開位置と、アーチワイヤスロットの開放に対する閉位置との間でさらにスライド可能に移動可能であり、移動可能ゲートがアーチワイヤスロットに対する閉位置に位置付けられるとき、移動可能ゲートの後向き面と、ブラケット本体挿入体の前面と、アーチワイヤスロットの上面及び下面とは、必ずしも直角ではない４つの角度によって画定される断面の四角形を有する４つの側部から構成されるアーチワイヤ通路を画定し、四角形のアーチワイヤ通路は、患者の歯に対する第１の次元の移動、第２の次元の移動、または第３の次元の移動をもたらすように、所定の力をブラケット本体に適用するためにアーチワイヤを包囲してアーチワイヤと協働し、アーチワイヤは、四角形のアーチワイヤ通路の中で、ブラケット本体に対して、軸方向に移動可能であり、移動可能ゲートの前向き面は、ブラケット本体の前外側を向く面によって画定される平面に実質的に沿って位置し、移動可能ゲートの前向き面における隆条部が、ブラケット本体に対する移動可能ゲートの正確な角度配向を維持し、第１の歯科矯正ブラケットは、患者の第１の歯の前面に解除可能に固定され、第１の歯科矯正ブラケットは、第１の所定の力を第１の歯に向かわせ、第１の歯の結果生じる移動をもたらすように、第１の歯科矯正ブラケットのそれぞれのブラケット基部に対する第１の歯科矯正ブラケットのそれぞれの四角形のアーチワイヤ通路の第１の角度配向を有し、第２の歯科矯正ブラケットは、患者の第２の歯の前面に解除可能に固定され、第２の歯科矯正ブラケットは、第２の所定の力を第２の歯に向かわせ、第２の歯の結果生じる移動をもたらすように、第２の歯科矯正ブラケットのそれぞれのブラケット基部に対する第２の歯科矯正ブラケットのそれぞれの四角形のアーチワイヤ通路の第２の角度配向を有し、第１の角度配向は第２の角度配向と異なり、第１の歯科矯正ブラケット及び第２の歯科矯正ブラケットは、中心の同じ高さのアーチワイヤスロットの列形成と一列に並び、アーチワイヤは、所定の力を第１の歯及び第２の歯に付与するように第１の元の構成と異なる形を取るために意図的に歪められることがない、第１の歯科矯正ブラケット及び第２の歯科矯正ブラケットとを備える、不正咬合を治療するための歯科矯正ブラケット装置である。
【００２９】
本発明のさらなる態様は、アーチワイヤが、単一の所定の幅寸法と単一の所定の厚さ寸法とを有する細長い弾性の主本体を有し、弾性の主本体の単一の所定の幅寸法は、アーチワイヤの弾性の主本体が受け入れられ、歯科矯正治療レジメン全体を通じて四角形のアーチワイヤ通路の中に包囲されるとき、患者の歯の一貫した第１の次元の移動制御を維持し、アーチワイヤの単一の所定の均一な厚さ寸法は、臨床医の選択可能で制御可能な患者の歯の第２の次元の移動及び第３の次元の移動を、選択された歯科矯正治療レジメンの間、臨床医によるアーチワイヤの任意の意図的な歪み、曲げ、捩じり、または変形なしで達成するように、受動的な結紮歯科矯正ブラケット本体への所与のトルク結合の適用を容易にし、アーチワイヤを包囲する四角形のアーチワイヤ通路は、四角形のアーチワイヤ通路の中心領域における包囲されたアーチワイヤの配向を維持し、それによって、患者の歯の臨床医が選択した第１の次元の移動、第２の次元の移動、及び第３の次元の移動を達成し、アーチワイヤは、四角形のアーチワイヤ通路の幅寸法より小さい所定の一定の幅寸法と、四角形のアーチワイヤ通路の高さ寸法の少なくとも５５パーセントである所定の一定の厚さ寸法と、を有する、不正咬合を治療するための歯科矯正ブラケット装置である。
【００３０】
本発明のさらなる態様は、患者の歯列弓に密に隣接した近さで配置されるように構成される細長い本体であって、長手方向軸における中心、ならびに、２つだけの直径方向で相対する径方向に湾曲した凸状面、及び、２つだけの相対する直径方向で離間された平面状の面を有する断面構成を有する細長い本体と、一方の径方向に湾曲した凸状面から、直径方向で反対側の径方向に湾曲した凸状面へと延び、中心を通過する任意の線に沿って測定される本体の単一の一貫した直径寸法と、一方の平面状の面から、直径方向で反対側の平面状の面へと延び、２つの直径方向で反対側の離れた平面状の面に対して垂直である任意の線に沿って測定される本体の単一の一貫した厚さ寸法とを有するアーチワイヤを備える、不正咬合を治療するための歯科矯正ブラケット装置である。
【００３１】
本発明のなおもさらなる態様は、患者の歯を検査し、各々の個々の歯の現在の場所及び現在の配向を特定するステップと、各々の個々の歯の所望の場所及び所望の配向を決定するステップと、各々の個々の歯を、特定された現在の場所及び特定された現在の配向から、決定された所望の場所及び決定された所望の配向へと移動及び再配向するために必要な第１の次元の力、第２の次元の力、及び第３の次元の力を決定するステップと、現在の場所及び現在の配向から、決定された所望の場所及び決定された所望の配向への各々の個々の歯の決定された所望の移動及び再配向を達成するために、各々の個々の歯について、適切なブラケット基部、適切なブラケット本体、及び適切なブラケット本体挿入体を選択するステップと、選択された適切なブラケット基部を、特定された個々の歯の前向き面に取り付け、中心の同じ高さのアーチワイヤの列形成を達成するために、選択された適切なブラケット基部を一列に並べるステップと、選択された適切なブラケット本体を各々の取り付けられたブラケット基部に取り付け、それぞれの歯の決定された移動を達成するために、及び、中心の同じ高さのアーチワイヤスロットの列形成を達成するために、決定された第１の次元の力、第２の次元の力、及び第３の次元の力を発揮するように、取り付けられたブラケット基部に対して各々の選択されたブラケット本体を配向するステップと、選択されたブラケット本体挿入体を、ブラケット基部に取り付けられてブラケット基部に対して配向された各々のブラケット本体へと設置し、ブラケット本体配向及び中心の同じ高さのアーチワイヤスロットの列形成を維持するようにブラケット基部に対してブラケット本体を位置的に固定及び位置的に維持するために、保持ピンをブラケット本体挿入体及びブラケット本体において画定された貫通孔に挿入するステップと、各々の個々の歯の所望の移動及び所望の配向を達成するように、決定された第１の次元の力、第２の次元の力、及び第３の次元の力を発揮するために、ブラケット基部に取り付けられたブラケット本体によって画定された一列に並べられた中心の同じ高さのアーチワイヤスロットに係合するように第１の適切なアーチワイヤを選択するステップと、選択された第１の適切なアーチワイヤを、各々のブラケット本体によって画定された中心の同じ高さのアーチワイヤスロットへと、患者の歯列弓と実質的に同様である第１のアーチワイヤの元の構成からの第１のアーチワイヤの材料的な変形、曲げ、または捩じれなしで挿入するステップと、移動可能ゲートを各々の選択されたブラケット本体にスライド可能に取り付けて、中心の同じ高さのアーチワイヤスロットが移動可能ゲート及び中心の同じ高さのアーチワイヤスロットの中のアーチワイヤによって実質的に閉じられ、中心の同じ高さのアーチワイヤスロットの中で軸方向のみに移動可能となるように、移動可能ゲートを所定位置へと付勢するステップであって、アーチワイヤは、各々の個々の歯への第１の次元の移動、第２の次元の移動、及び第３の次元の移動を、任意の隣接する歯において同じ第１の次元の移動、同じ第２の次元の移動、または同じ第３の次元の移動を発揮することなく発揮する、ステップと、各々の歯の現在の場所及び現在の配向から、各々の歯の所望の場所及び所望の配向に向かう、各々の個々の歯の第１の次元の移動、第２の次元の移動、及び第３の次元の移動を監視するステップと、各々の個々の歯が、所望の第１の次元の移動、所望の第２の次元の移動、及び所望の第３の次元の移動において、中間の場所、中間の配向、及び、第１のアーチワイヤが第１の次元の力、第２の次元の力、及び第３の次元の力をそれぞれの歯にもはや発揮しない、中心の同じ高さのアーチワイヤスロットの中に位置付けられるアーチワイヤに対する中立位置へといつ移動したかを決定するステップと、選択された第１のアーチワイヤを、それぞれのブラケット本体によって画定されたそれぞれの中心の同じ高さのアーチワイヤスロットから取り外すステップと、各々の個々の歯の所望の移動及び所望の配向を達成するように、それぞれのブラケット基部に解除可能に取り付けられるブラケット本体の各々によって画定された中心の同じ高さのアーチワイヤスロットの中に受け入れられるように第２の適切なアーチワイヤを選択するステップと、選択された第２の適切なアーチワイヤを、各々のブラケット本体によって画定される中心の同じ高さのアーチワイヤスロットへと挿入し、中心の同じ高さのアーチワイヤスロットの中で担持されて包囲される選択された第２のアーチワイヤが中心の同じ高さのアーチワイヤスロットの中において軸方向のみにおいて移動可能となるように中心の同じ高さのアーチワイヤスロットが移動可能ゲートによって少なくとも部分的に塞がれるように移動可能ゲートを所定位置へと付勢するステップであって、選択された第２のアーチワイヤは、各々の個々の歯における第１の次元の移動、第２の次元の移動、及び第３の次元の移動を、任意の隣接する歯における同じ第１の次元の移動、同じ第２の次元の移動、及び同じ第３の次元の移動を発揮することなく発揮する、ステップと、中間の場所及び中間の配向から、所望の最終的な場所及び所望の最終的な配向に向かう、各々の個々の歯の第１の次元の移動、第２の次元の移動、及び第３の次元の移動を監視するステップと、各々の個々の歯が、所望の第１の次元の移動、所望の第２の次元の移動、及び所望の第３の次元の移動において、アーチワイヤスロットの中の選択された第２のアーチワイヤに対する中立位置へと、ならびに、所望の最終的な場所及び所望の最終的な配向へといつ移動したかを決定するステップと、選択された第２のアーチワイヤ、それぞれのブラケット本体挿入体、それぞれのブラケット本体、及びブラケット基部を患者の歯から取り外すステップと、を含む、不正咬合を治療するための歯科矯正ブラケット装置及び方法である。
【００３２】
本発明の方法のなおもさらなる態様は、ブラケット本体挿入体をアーチワイヤスロットから少なくとも部分的に取り外すことで、それぞれのブラケット基部に対するブラケット本体の配向を調節するステップと、その後、それぞれのブラケット本体をそれぞれのブラケット基部に対して新しい第２の所望の配向へと枢動させるステップと、次に、新しい第２の所望の配向においてブラケット本体をブラケット基部に位置的に固定するためにブラケット本体挿入体を再設置するステップと、その後、アーチワイヤをアーチワイヤスロットへと挿入するステップと、を含む。
【００３３】
本発明のなおもさらなる態様は、ブラケット本体挿入体が、ブラケット本体挿入体及びブラケット本体において画定される孔を通じて延びる取り外し可能ピンによって、ブラケット本体及びブラケット本体基部に対して所定位置で固定される、不正咬合を治療するための歯科矯正ブラケット装置及び方法である。
【００３４】
本発明のこれらの態様及び他の態様は、以後においてより詳細に検討されている。
【００３５】
本発明の好ましい実施形態が、以下において、以下の添付の図面を参照して記載されている。
【図面の簡単な説明】
【００３６】
【図１】先行技術の歯科矯正ブラケットにおける大きいトルク結合と知られている欠点のうちの少なくとも１つとを示す、このようなブラケットの正投影の側面図である。
【図２】第２の先行技術の歯科矯正ブラケットにおける中立のトルク結合と知られている欠点のうちの少なくとも１つとを示す、このようなブラケットの正投影の側面図である。
【図３】第３の先行技術の歯科矯正ブラケットにおける小さいトルク結合と知られている欠点のうちの少なくとも１つとを示す、このようなブラケットの正投影の側面図である。
【図４】本発明の歯科矯正ブラケットの側面、端面、及び上面を示す斜視図である。
【図５】第１の次元の移動、第２の次元の移動、及び第３の次元の移動の方向を示す歯の正投影の概略図である。
【図６】小さいトルク結合を表現する図４の歯科矯正ブラケットの正投影の側面図である。
【図７】中立のトルク結合を表現する図４の歯科矯正ブラケットの正投影の側面図である。
【図８】大きいトルク結合を表現する図４の歯科矯正ブラケットの正投影の側面図である。
【図９】ブラケット基部の正投影の側面図である。
【図１０】蟻継ぎ用スロットを示す、図９のブラケット基部の側面及び上面を示す斜視図である。
【図１１】アーチワイヤスロットを示すブラケット本体の上面及び側面を示す斜視図である。
【図１２】図１１のブラケット本体の側面及び端面を示す斜視図である。
【図１３】図１１のブラケット本体の上面及び側面を示す斜視図である。
【図１４】蟻継ぎ係合部材を示す、図１１のブラケット本体の底面及び側面を示す斜視図である。
【図１５】蟻継ぎ用スロットを示す、ブラケット基部の正投影の平面図である。
【図１６】図１５のブラケット基部の上面、側面、及び端面を示す斜視図である。
【図１７】ブラケット本体挿入体の底面を示す斜視図である。
【図１８】ブラケット本体挿入体の正投影の側面図である。
【図１９】ブラケット本体挿入体及び固定ピンの側面及び端面を示す斜視図である。
【図２０】互いから分離されているが係合のために一列に並べられている構成要素を示す、本歯科矯正ブラケットの正投影の分解図である。
【図２１】アーチワイヤの正投影の断面図である。
【図２２】アーチワイヤ通路の隣接する面と係合するアーチワイヤの側面を示す正投影の断面の概略図である。
【図２３】アーチワイヤ通路の隣接する面と係合するアーチワイヤの側面を示す正投影の断面の第２の概略図である。
【図２４】長方形でない四角形を有するアーチワイヤスロットとの組み合わせでの本発明のアーチワイヤの協働を示す、大幅に拡大及び単純化された側面を示す立面図である。
【図２５】図示されているような長方形を有するアーチワイヤスロットとの、図示されているような新たなアーチワイヤの協働を示す、歯科矯正ブラケットの大幅に拡大及び単純化された側面を示す立面図である。
【図２６】図示されているような長方形でない四角形を有するアーチワイヤスロットとの協働する本発明のアーチワイヤの大幅に拡大及び単純化された側面を示す立面図である。
【図２７】中心のアーチワイヤスロットの列形成を維持する一方で、ブラケット基部に対する小さいトルク結合へと回転させられるブラケット本体を示す、本歯科矯正ブラケットの正投影の側面図である。
【図２８】中心のアーチワイヤスロットの列形成を維持する一方で、ブラケット基部に対する中立の結合へと回転させられるブラケット本体を示す、本歯科矯正ブラケットの正投影の側面図である。
【図２９】中心のアーチワイヤスロットの列形成を維持する一方で、ブラケット基部に対する大きいトルク結合へと回転させられるブラケット本体を示す、本歯科矯正ブラケットの正投影の側面図である。
【図３０】本歯科矯正ブラケット装置の第２の実施形態の上面、側面、及び前面を示す斜視図である。
【図３１】隆条部がある移動可能ゲートの上面、端面及び側面を示す斜視図である。
【図３２】中心の同じ高さのアーチワイヤスロットの列形成を維持する一方で、歯におけるブラケットの一列の並びを示す、患者の歯に取り付けられた本歯科矯正ブラケットの正投影の前面図である。
【図３３】中心の同じ高さのアーチワイヤスロットの列形成を維持する一方で、歯におけるブラケットの一列の並びを示す、患者の歯に取り付けられた本歯科矯正ブラケットの正投影の前面図である。
【図３４】中心の同じ高さのアーチワイヤスロットの列形成を維持する一方で、歯におけるブラケットの一列の並びを示す、患者の歯に取り付けられた本歯科矯正ブラケットの正投影の前面図である。
【発明を実施するための形態】
【００３７】
本発明の開示は、「科学及び有用な技術の進歩を促進する」ために（第８節の第１条）、米国特許法の憲法上の目的の促進において提出されている。
【００３８】
本発明の第１の形態は、図４における符号１０及び以下において概して指示されている。本発明の目的のために、以後において記載されているような本発明の様々な形態が、患者が有する１つまたはいくつかの歯科矯正異常を治療するために臨床医によって提供される複数のステップの歯科矯正治療の方法、レジメン、または計画を実施するために使用されることは、理解されるものである。本発明の歯科矯正ブラケット１０は、適切な接着剤または他の手段を用いて、患者の歯１１（図５）に解除可能に固定され、具体的には、前向き面１２に固定される。歯科矯正ブラケット１０は、その様々な形態において、以後において検討されており、アーチワイヤ９０及び記載されている他の歯科矯正の器具との組み合わせで使用されるとき、変化する度合いのトルク及び／または他の力を提供するように動作可能であり、組み合わさって、患者の歯１１が有する歯科矯正異常を矯正する。歯１１に適用される力は、患者の歯１１に個々に強制的に作用する複数の選択的なトルク表現の形態であり得る。患者の歯は歯根１１Ａと歯冠１１Ｂとを備え、長手方向軸１１Ｃを画定している。本特許出願の目的について、以後において使用されているような「トルク表現」という用語は、近心／遠心の方向に位置する軸であるＸ軸の周りでの患者の歯１１の回転を提供する力として画定されている。具体的には、本発明の歯科矯正ブラケット１０は、患者の歯列弓（図示せず）に概して対応する元の構成から離れる／外れるアーチワイヤ９０の臨床的にあらかじめ画定された歪み、操作、曲げ、捩じり、及び／または他の回転なしで、図５において見られるような第１の次元の移動１３、第２の次元の移動１４、及び第３の次元の移動１５を達成するために、または、患者の歯科矯正治療の間に異なる大きさのアーチワイヤ９０との同じアーチワイヤ９０のしばしば繰り返しの交換を達成するために、用いられ得る。当然ながら、以後において記載されているように、他の力が他のデバイス及び手段によって患者の歯１１に適用され得る。複数のステップの歯科矯正治療レジメンを通じた患者の治療は、以後において記載されているように、患者の歯１１からブラケット基部２０を取り外すことなく完了まで進めることができるが、ブラケット基部２０において連続的な手法で解除可能に搭載される個々のブラケット本体４０は、治療する臨床医の臨床的な判断に基づく治療期間の間、定期的に調節され得る、及び／または、臨床医が選択した複数の他のブラケット本体４０と定期的に交換され得る。本発明１０は新規の手段を提供し、それによって、臨床医は、記載されているように、ブラケット基部２０及びブラケット本体挿入体１００の品揃えと動作可能に嵌まり合って協働できる異なるブラケット本体４０の品揃えを利用することで、患者の歯１１の第１の次元の移動１３、第２の次元の移動１４、及び第３の次元の移動１５を達成し、それによって患者の治療時間を相当に短縮し、また優れた治療結果を達成する。本発明は、知られている治療する臨床医には最もなじみのある先行技術の器具または実施を利用することで、これまでは不可能であった手法で患者の快適性の増加も提供する。
【００３９】
歯１１の移動は、空間において３つの平面に対して画定される。この点において、これらのそれぞれの平面における移動は、それぞれ符号１３，１４、１５である第１の次元の移動、第２の次元の移動、及び第３の次元の移動として分類されている。図５において見られるように、第１の次元の移動１３は、回転及び／または内外の移動として一般的に考えられる。これは、咬み合わせの見地から見られ得る移動を言っている。他方で、第２の次元の移動１４は傾斜としばしば称され、頬舌または唇舌の見地から見られ得る。これは、咬合−歯肉方向における移動、または、頬舌もしくは唇舌の軸の周りでの傾斜を含む。一般的な問題として、前述の軸の周りでの回転は、典型的には、近心または遠心の方向における患者の歯１１の歯根１１Ａまたは歯冠１１Ｂの傾斜をもたらす。第２の次元の移動１４は、それぞれの歯１１の歯根を平行にさせるためと、所与の歯を上昇または下降させるためとに使用される。最後に、一般的に「トルク」と考えられる第３の次元の移動１５は、近心−遠心の見地、または、頬舌の断面から見られ得る。第３の次元の移動１５は、典型的には、近心−遠心の軸の周りの移動を言う。この具体的な移動は、適切な切歯、唇舌、または頬舌の傾きを達成しようとするときにしばしば重要である。第１の次元の移動、第２の次元の移動、及び第３の次元の移動は、繰り返しになるが、図５において最良に見られ、それぞれ符号１３、１４、及び１５によって指示されている。
【００４０】
図４、図９、及び図１０において見られるような本発明の第１の形態では、歯科矯正ブラケット１０は、主本体２１を有し、前向き面２２と、後向き面２３とを画定し、周囲の縁２４をさらに有するブラケット基部２０を備える。後向き面２３は、適切な接着剤によって、患者の歯１１の前向き面１２に典型的には固定される（図示せず）。ブラケット基部２０は、前向き面２２と後向き面２３との間に変化する厚さ寸法（図９）を有する後向き面２３を有し、そのため、第１の縁部分２６における第１の厚さ寸法２８が、相対する第２の縁部分２７における第２の厚さ寸法２９と異なる。相対する縁部分２６、２７の間での異なる厚さ寸法２８、２９は、線形であり、ブラケット基部２０の後向き面２３を、好ましくは約６．５°から約８．５°までの間で、最も好ましくは約７．５°で、斜めにさせる。角形成は、所与の所定の歯科矯正治療レジメンの間に患者の歯１１に発揮され得る所定の大きさのトルクを、治療提供者に選択及びカスタマイズさせることができる。ブラケット基部２０の製作の間、ブラケット基部２０の材料厚さは、臨床医によって必要と決定される場合、さらに変更され得る。ブラケット基部２０の後面２３の角形成は、特有である治療レジメンを有する患者についての歯科矯正異常に対処するためのより大きな柔軟性を臨床医に与える。さらに、患者の歯１１に対するブラケット基部２０の１８０°の回転（患者の歯１１への取り付けの前）は、ブラケット基部２０の角形成を反対にし、ブラケット基部２０に対するブラケット本体４０の利用可能な角度位置を材料的に変更し、治療法を決定するときに臨床医にとって利用可能な利用可能トルク選択肢をさらに広げる。
【００４１】
ここで図１０を参照すると、本発明１０の第１の形態、より明確には、ブラケット基部２０の前向き面２２が、概して符号３０によって指示されている結合部分または結合領域を備えている。結合部分または結合領域３０は、実質的に凹状に成形されているとして図１０において示されている湾曲した鳩尾形のスロット３１によって一部で画定されている。しかしながら、図示されているような本発明の形態は凹状に成形された鳩尾形のスロットを示しているが、湾曲した鳩尾形のスロット３１が凸状の湾曲または実質的に平坦な形を取る本発明の形態が製作され得ることが、同じように実現可能である。そのため、本発明は、図示されているものに限定されるべきではない。そのため、凸状、凹状、及び／または潜在的に平面の配置のいずれかの湾曲した鳩尾形のスロットが本発明の製作において同じように用いられ得ることは、認められるべきである。記載されている結合部分３０は、この最初に図示されているブラケット基部２０を「万能の」基部にさせ、以後において記載されているように、複数のブラケット本体４０と共に利用できる。
【００４２】
記載されているような配置において、ブラケット基部２０は、受動的な結紮、能動的な結紮、または従来からの結ばれたブラケットを用いるブラケット本体４０で用いられ得る。この特徴を考慮して、臨床医は、歯科矯正治療レジメンの実施の間に歯科矯正ブラケットを交換するとき、もはやブラケット基部２０を取り外す必要がない。むしろ臨床医は、ブラケット本体４０をブラケット基部２０の結合部分３０から取り外し、複数のステップの歯科矯正治療レジメンの実施において用いられる臨床医が選択した便益を達成する代わりのブラケット本体４０を再び取り付けなければならないだけである。別の選択肢として、臨床医は、ブラケット基部２０に対するブラケット本体４０の配向を調節する必要があるだけであり得る。
【００４３】
先に検討されているように、ブラケット基部２０は、歯科矯正治療の時間全体の間に歯１１に固定されたままとなり、それによって治療を早め、治療レジメン全体を患者にとってはるかにより快適にすることができる。湾曲した鳩尾形のスロット３１は、一対の離間した側壁３２によって、少なくとも一部で画定されている。また、結合部分３０が、ここでは符号３３Ａ及び３３Ｂとしてそれぞれ特定され、湾曲した鳩尾形のスロット３１の両側に位置付けられている両側を有する中央に位置付けられて高くされた領域３３によって、少なくとも一部で画定されている。中央で高くされた領域３３Ａ及び３３Ｂはそれぞれ、湾曲した鳩尾形のスロット３１の湾曲した上方を向く面と同じ曲率を有する湾曲した上方を向く面３４を有する。中央で高くされた領域３３の各々は、内向きに延びるフランジ部分３５を備える。フランジ部分３５は、以後においてより詳細に検討されているように、移動可能なブラケット本体４０とスライド可能に嵌まり合って捕獲して協働するための手段を提供する。また、中央で高くされた領域３３の各々に形成され、湾曲した上方を向く面３４を通じて下向きに延びるのは、符号３６によって概して指示されている複数の係合領域である。係合領域３６は、以後においてより詳細に記載されているように、ブラケット本体挿入体１００の係合部分１１１、１１２と嵌まり合って受け入れて協働するような大きさに個々でされている。複数の係合領域３６が、アーチワイヤスロット６０の中に受け入れられ、以下で記載されているように個々のブラケット本体４０によってさらに画定されるアーチワイヤ９０に所与の大きさのトルクまたは他の力を付与するように、ブラケット基部２０と移動可能に嵌まり合って協働するブラケット本体４０の回転可能な配向を調節可能に位置決めするための従来の手段を提供する所定の空間的なパターンで配置されることは、図９及び図１０を検討することから留意されている。弓形の側方の凹部３７が、ブラケット基部２０の各々の相対する側部２６、２７に画定されている。弓形の凹部３７は、各々の凹部３７の丸められた弧状部分がブラケット基部２０の後面２３の反対側で開放するように前向き面２２とつながっている。弓形の凹部３７は、以後において検討されているように、ブラケット本体挿入体１００のフランジ部分１１３を担持する／フランジ部分１１３と係合するように構成されており、ブラケット基部２０に画定された係合領域３６の中での結石の蓄積を防止／低減するようにさらに構成されている。
【００４４】
図４及び図６〜図８に示されているような歯科矯正ブラケット１０は、ブラケット基部２０に支えられる、または、ブラケット基部２０と移動可能に嵌まり合って協働する移動可能なブラケット本体４０を備える。この点においてブラケット本体４０は、前向き面４２と、反対側の後向き面４３とによって少なくとも一部で画定される主本体４１を有する。なおもさらには、ブラケット本体４０は、所定の距離で一方が他方に対してさらに位置付けられている反対側の第１（近心）の側４４と第２（遠心）の側４５とによって画定されている。なおもさらには、ブラケット本体４０は、上を向く面４６と、反対側の下を向く面４７とを備える。上を向く面４６及び下を向く面４７は、当技術分野でよく知られているタイウイングをそれぞれ画定する。図４及び図６〜図８において見られるように、ブラケット本体４０は、符号５０によって概して指示され、当技術分野でよく知られている移動可能ゲートを搭載している。移動可能ゲート５０は、ブラケット本体４０によってさらに画定され、図面において示されているアーチワイヤスロット６０に対して、第１の下位置または開位置５２と、第２の上位置または閉／塞ぐ位置５３との間で、画定された進行の経路５１に沿って往復で進行または移動するように動作可能である。ブラケット本体４０の前向き面４２と移動可能に協働するゲート５０は、以下において検討されているように、符号６０によって概して指示されている横断して配置されたアーチワイヤスロットの中で、アーチワイヤ９０を選択的に保持するように動作可能である。
【００４５】
横断した配置されたアーチワイヤスロット６０は、ブラケット本体４０の第１の近心側４４に隣接して位置付けられている第１の端６１と、第２の側４５に隣接している反対側の第２の端または遠位端６２とを有する。アーチワイヤスロット６０は、天面または上面６３と、反対側の底面または下面６４とによって、少なくとも一部で画定されている。アーチワイヤスロット６０を少なくとも一部で画定する天面／上面６３と底面／下面６４とは、一方が他方に対して実質的に平行に離間した関係で配置されている。天面／上面６３と底面／下面６４との間の高さ寸法１８は、以後において記載されているように、アーチワイヤスロット６０にアーチワイヤ９０を受け入れさせることができる。なおもさらには、ブラケット本体４０の主本体４１は、天面／上面６３と底面／下面６４との間で延びる支持壁または凹状壁６５（図１１）を画定しており、移動可能ゲート５０の後向き面５５に対して概して平行に離間された関係でさらに配置されており、それらの間にアーチワイヤスロット深さ寸法１７を有する。アーチワイヤスロット６０は、符号６７によって指示されている中心領域及び中心を有し、アーチワイヤスロット６０は、ブラケット基部２０に移動可能に結合されるとき、以下に記載されているように、鉛直平面と水平平面との両方において移動可能である。鉛直平面または水平平面のいずれかにおけるブラケット本体４０の移動によるアーチワイヤスロット６０の回転は、アーチワイヤスロット６０の中心６７の周りで維持される（図２７、図２８、図２９参照）。
【００４６】
アーチワイヤスロット６０は、直角であり得るが、必ずしも直角ではない可能性のある４つの角の角度によって画定される概して断面の四角の形を有する。角の角度のうちの少なくとも一部は、丸められてもよく、ブラケット本体４０の強度を高める所与の曲率または半径を有し得る。本発明の１つの可及的な形態では、アーチワイヤスロット６０の断面の形は平行四辺形の形態を取ることができ、本発明の別の可及的な形態では、アーチワイヤスロット６０の断面の形は菱形の形態を取ることができる。この特許出願の目的について、平行四辺形の定義は、実質的に平行な辺の相対する対を有する構造または形を含み、平行な辺の相対する対は、各々が実質的に等しい長さのものである。他方で、菱形は、配向において実質的に平行である辺の相対する対を有する構造または形を含むが、辺の相対する対は異なる長さを各々有する。アーチワイヤスロット６０の中心６７は、図２４〜図２６において見られるように、同じ高さのアーチワイヤスロットの列形成１８０で一列に並べられる。本発明のこの特徴は、歯科矯正の疾病を矯正するために本発明を用いている臨床医に相当の便益と利点とを提供する。図面において見られるような本発明の配置では、以下においてより完全に記載されているようなアーチワイヤスロット６０は、以下に記載されているように、ブラケット本体挿入体１００の使用によってなど、様々な他の構造を用いることで変化するある所定の断面の寸法を有することは、理解されるべきである。
【００４７】
ブラケット本体４０は、ブラケット基部２０の結合部分３０と嵌まり合って移動可能に係合する相補的な実質的に均一の湾曲した面を画定する後向き面４３を有する。先に記載したように、ブラケット基部２０の結合部分３０は、所定の形及び寸法を有する湾曲した鳩尾形のスロット３１を画定しており、ブラケット本体４０の後向き面４３は、図面において見られるように、相補的な均一に湾曲した面８０と、ブラケット基部２０の結合部分３０と移動可能に嵌まり合って係合する嵌合構造とをさらに備える。後向き面４３を少なくとも一部で形成しているこの相補的な実質的に均一に湾曲した面８０は、中央で高くされた領域３３の湾曲した上方を向く面３４と移動可能に嵌まり合って協働し、結合部分３０の特徴をさらに形成する。ブラケット本体４０は、前述の嵌合構造を少なくとも一部で形成しており、ブラケット本体４０の実質的に均一に湾曲した後向き面８０と一体に作られ、ブラケット基部２０に形成されている湾曲した鳩尾形のスロット３１の中での相補的にスライド可能に嵌まり合って係合可能な受け入れのための寸法にさらにされている湾曲した雄ピン部材８１も備える。この特徴は、様々なブラケット本体４０がブラケット基部２０と嵌まり合って移動可能に協働することができる手段を提供する。この特徴は、臨床医によって選択される歯科矯正治療レジメンまたは計画を通じて、ブラケット基部２０を歯１１に取り付けられたままにすることもできる。理解されるべきであるように、ブラケット基部２０に対するブラケット本体４０の回転は、ブラケット基部２０に形成されている湾曲した鳩尾形のスロット３１に沿って雄ピン部材８１を移動させるときに有効である。雄ピン部材８１は、中央支持の柱またはシャフトの領域８３を備える主本体８２によって、少なくとも一部で画定されており、中央支持の柱またはシャフトの領域８３は、中央で高くされた領域３３を組み合わさってさらに形成するブラケット基部２０のフランジ部分３５同士の間に画定されている空間の中にさらに位置付けまたは受け入れられる。中央支持の部分またはシャフト８３は遠位端を有し、遠位端と一体に作られているのは、拡大した横断して配置されるフランジ部分８５である。フランジ部分８５は、ブラケット基部２０に画定されている湾曲した鳩尾形のスロット３１の一部分を個々に形成している側壁３２同士の間で測定されるような距離より小さい幅寸法を有する。さらに、同じフランジ部分８５は、フランジ部分３５と湾曲した鳩尾形のスロット３１との間で測定されるような距離より小さい厚さ寸法を有する。その湾曲した構成において、拡大したフランジ８５は相補的な湾曲した面８６を有し、湾曲した面８６は、湾曲した鳩尾形のスロット３１に提供されている曲率と実質的に同様である曲率を有する。寸法的に設計されているように、雄ピン部材８１は、湾曲した鳩尾形のスロット３１に嵌まり合って嵌入する、または、湾曲した鳩尾形のスロット３１に嵌まり合って協働し、湾曲した鳩尾形のスロット３１に沿ってスライドし、それによって、ブラケット本体４０を、ブラケット基部２０に対して、湾曲した鳩尾形のスロット３１の中において少なくとも部分的に回転可能に移動可能にさせる。また、この特徴は、ブラケット本体４０が、ブラケット基部２０から容易に位置的に調節できる、及び／または、ブラケット基部２０から取り外しできる手段を提供し、治療する臨床医によって望まれる追加の臨床的な利点を達成するために、後で別の形態のブラケット本体４０で置き換えることができる。
【００４８】
アーチワイヤスロット６０の支持壁６５から湾曲した雄ピン部材８１の相補的な湾曲した面８６までつながる中間を通る通路７０が、ブラケット本体４０に画定されている（図１１、図１４参照）。中間を通る通路７０は、ブラケット本体挿入体１００の中間係合部材１１８と解除可能に担持／係合される構成及び寸法とされている。横断貫通孔７３が、相補的な湾曲した面８６に離間して隣接する雄ピン部材８１においてさらに画定されており、ブラケット本体４０の上を向く側４６からブラケット本体４０の下を向く側４７へと延びており、中間を通る通路７０とさらに交差している。貫通孔７３は保持ピン１２０を解除可能に担持している。保持ピン１２０は、貫通孔７３において係合されるとき、ブラケット本体挿入体１００をブラケット本体４０に固定し、ブラケット本体４０に対するブラケット本体挿入体１００の移動を制限し、これは、ブラケット基部２０に対するブラケット本体４０の回転移動を可能にするが、保持ピン１２０を取り外すことなくブラケット本体４０をブラケット基部２０から取り外すことを防止する。保持ピン１２０は、保持ピン１２０が横断して延びる孔７３を完全に通過することと、失われる、または、横断孔７３の中での所望の位置から係合解除されることとを防止するために、径方向に拡大した端部分（図示されていない）または他の知られている特徴（図示されていない）を有してもよい。
【００４９】
ブラケット基部２０が患者の歯１１に適切に取り付けられ、ブラケット本体４０がブラケット基部２０に取り付けられるとき、横断して配置されたアーチワイヤスロット６０はブラケット基部２０に対する所与の所定の配向を有し、本発明で提供されているような配置は、それぞれ第１の次元の移動１３、第２の次元の移動１４、及び第３の次元の移動１５であるとしてここでは指示されている個々のトルク表現を、横断して配置されたアーチワイヤスロット６０の所定の配向に相当の影響を与えることなく容易に調節させることができる。これは、図６、図７、及び図８を参照して最良に見られる。これは、ブラケット基部２０に対するブラケット本体４０の部分的な回転がアーチワイヤスロット６０の中心６７を材料的に変位させない一方で、異なるトルク表現１３、１４、１５が患者の歯１１の一部分を移動及び矯正するために提供されるため、歯科矯正治療において相当の進歩である。これは、先に開示されている歯科矯正器具に対してかなり有意義な新規の利点である。
【００５０】
本発明１０の新規の特徴のうちの別のことは、新しい歯科矯正アーチワイヤ９０が、何十年と臨床医にとって普及していた実施である実質的な曲げ、意図的な歪み、または他の操作なしで、受動的な結紮ブラケット１０に配置できる、または、受動的な結紮ブラケット１０の中に実質的に包囲されるという事実に関する。さらに、患者の治療は、患者の歯１１からブラケット基部２０を取り外すことなく完了まで進めることができるが、ブラケット基部２０において解除可能に搭載されるブラケット本体４０は、治療する臨床医の臨床的な判断に基づく治療期間の間、位置的に調節され得る、及び／または、他のブラケット本体４０と交換され得る。本発明１０は、異なるブラケット本体挿入体１００を含む様々な手段を利用することで、臨床医が、患者の歯１１の第１の次元の移動１３、第２の次元の移動１４、及び第３の次元の移動１５を達成するために、アーチワイヤスロット６０の断面の寸法１７、１８を容易に調節することができ、それによって患者の治療時間を相当に短縮することで優れた治療結果を達成し、知られている先行技術の器具または実施を利用することでは可能ではなかった手法で、患者の快適性を増加させることができる新規の手段を提供する。なおもさらには、本発明の調節可能な受動的な結紮ブラケット１０は、アーチワイヤ９０をさらに受け入れ、鉛直平面と水平平面との両方において移動可能であり、アーチワイヤ９０を担持しているアーチワイヤスロット６０の回転は、鉛直平面または水平平面のいずれにおいても、患者の歯１１に第１の次元の移動１３、第２の次元の移動１４、及び第３の次元の移動１５をそれぞれ同時に付与し、アーチワイヤ９０の移動はアーチワイヤスロット６０の中心６７の周りで実質的に維持される。この特徴は、トルク表現１３、１４、１５が歯１１においてブラケット１０によって表現されているが、図２７〜図２９において最良に示されている。アーチワイヤスロット６０は、各々のアーチワイヤスロット６０の中心６７を通過する水準線１８０に沿って維持される。
【００５１】
先に記載されているように、アーチワイヤスロット６０は、３つの側部から構成されるアーチワイヤスロット６０を形成するように、図４において最良に見られるブラケット本体挿入体１００の前向き面１０６と、上面６３と、下面６４とによって一部で画定されており、移動可能ゲート５０の後内側を向く面５５によってなおもさらに一部で画定されている。移動可能ゲート５０が閉位置（図６〜図８）にあるとき、アーチワイヤスロット６０は、ブラケット本体挿入体１００の前面１０６と、上面６３と、下面６４と、移動可能ゲート５０の後内側を向く面５５とによって境界付けられた（断面において）４つの側部から構成される四角のアーチワイヤ通路６０を形成する。四角のアーチワイヤ通路６０は、直角である必要はないが、直角であり得る隣接する面１０６、６３、６４、及び５５同士の間でそれらの面を結合する４つの角の角度をさらに有する。
【００５２】
受動的な結紮ブラケット１０は、ブラケット本体４０の前向き面４２においてスライド可能に搭載され、前向き面４２に対して移動可能とさせられる移動可能ゲート５０をさらに利用または採用する。移動可能ゲート５０は、臨床医によって摩擦で係合させられ得る前または外側を向く面５４を有し、さらに、４つの側部から構成される四角のアーチワイヤスロットまたは通路６０を少なくとも一部で形成し、本発明のアーチワイヤ９０を実質的に包囲する反対側の後向き面５５をさらに有する。図面で見られるように、移動可能ゲート５０は、第１の塞がない位置または開位置５２と第２の塞ぐ位置または閉位置５３との間で移動の経路５１に沿って進行するように動作可能である。第２の塞ぐ位置または閉位置５３では、移動可能ゲート５０は、本発明のアーチワイヤ９０の一部分を少なくとも一部包囲する。さらに、ブラケット本体４０がブラケット基部２０に対する所与の配向へと移動されるとき、包囲されたアーチワイヤ９０は、受動的な結紮ブラケット１０が搭載される患者の歯１１の第１の次元の移動１３、第２の次元の移動１４、及び第３の次元の移動１５に作用するように力をブラケット本体４０に付与するために動作可能である。しかしながら、アーチワイヤ９０は、アーチワイヤスロット６０の中で位置的に固定されず、アーチワイヤ９０は、本受動的な結紮ブラケット装置及び方法の所望の歯の移動に作用するようにアーチワイヤスロット６０の中で軸方向に移動可能なままである。
【００５３】
図面に示されているように、本発明に記載されているような歯科矯正ブラケット１０は、アーチワイヤスロット６０の中に受け入れられるアーチワイヤ９０を受け入れてアーチワイヤ９０と協働するように動作可能である。アーチワイヤ９０は、新規の設計であり、平面状の相対する天面（上面９１）及び底面（下面）９２と、上面９１及び下面９２を一体に連結する、相対する凸状に湾曲した前面９６及び後面９７とによってさらに画定されており、実質的に丸い正方形または丸い長方形の断面をさらに形成している（図２１参照）。図面において見られるような配置では、アーチワイヤ９０は、横断して配置されたアーチワイヤスロット６０の中に受け入れられ、アーチワイヤ９０との組み合わせで作用する図示されているようなブラケット本体４０は、選択の複数のトルク表現１３〜１５をそれぞれ提供するように、水平平面または鉛直平面の両方に沿って調節可能であり、患者の口の中で臨床的に望ましい配向及び便益を達成する様態でそれぞれの歯１１を移動させるように、患者の歯１１に強制的に作用する。
【００５４】
ここで図２１〜図２６を参照すると、アーチワイヤ９０は、長手方向軸９５によって一部で画定されている主本体９４を有する。主本体９４は、概して平面状の上を向く面９１と、相対する概して平面状の下を向く面９２とを有する。主本体９４の厚さ寸法９３が、概して平面状の上面９１と下面９２との間で、それらの２つの面９１、９２の間でそれらの面９１、９２に対して垂直に延びる線において測定される。なおもさらには、主本体９４は、前の凸状に湾曲した面９６と、反対側の凸状に湾曲した後向き面９７とを、それらの間の一貫した直径９９が、相対する凸状に湾曲した面９６、９７の間で延び、中心の長手方向軸９５を通過する線に沿って測定される状態で、有している。２つの相対する凸状に湾曲した９６、９７は、両方の凸状に湾曲した面９６、９７が同じ中心９５を共有するように長手方向軸９５から測定されるような一貫した半径９９Ａを各々有する。主本体９４は、平面状の上を向く面９１、相対する平面状の下を向く面９２、及び２つの相対する凸状に湾曲した９６、９７の周囲の縁に沿って相互連結部を画定する複数の角張った縁または領域９８をさらに有する。平面状の上面９１と、相対する平面状の下面９２との間の所定の厚さ寸法９３は、選択的な第２の次元の移動１４及び第３の次元の移動１５を患者の歯１１に提供する一方で第１の次元の制御１３を同時に維持するように、臨床医が所定の大きさの可変トルクを発揮するための便利な手段を提供する。選択的な大きさのトルクは、厚さ寸法９３を変更することで達成される。任意の選択的なアーチワイヤ９０の厚さ寸法９３は、アーチワイヤ９０の全長に沿って均一である。図２２、図２３において見られるようなアーチワイヤ９０は、優れた歯の一列の並びを達成する患者の歯１１の最終的な完成した移動を提供するように、非常に小さいが正確な大きさのトルクを発生させるために利用され得るある種類のアーチワイヤ構成を示している。図２２及び図２３において見られるように、拡大された正方形の構成を有する非常に断片的で単純な描写されたアーチワイヤスロット６０が図示されており、移動可能ゲート５０によって塞がれており、移動可能ゲート５０の後面５５だけが示されている。前を向く凸状の面９６は、移動可能ゲート５０の後向き面５５に対して密に離間して並置された関係で位置決めされている。さらに、凸状に湾曲した後向き面９７が、ブラケット本体挿入体１００の前向き面１０６に対して隣接して並置された関係で位置付けられている。図面において見られるように、様々な角張った縁または領域９８は、アーチワイヤスロット６０の上面６３と下面６４との両方に係合するように動作可能である。この係合に拘わらず、前を向く凸状に湾曲した面９６が移動可能ゲート５０の後向き面５５をなおも通過させることができることはなおも分かる。主本体９４の厚さ寸法９３が縮小されるため、アーチワイヤ９０がブラケット本体４０に付与できるトルクの大きさがなおも低減されることは、理解されるべきである。したがって、臨床医は、アーチワイヤ９０の様々な厚さ９３を選択することによって、細かい最終的な制御を提供するためや、優れた歯の一列の並びを達成するためや、これまでは不可能であった手法で位置決めするために、微細な選択的な大きさのトルクを送ることができる。
【００５５】
好ましい実施形態では、アーチワイヤ９０は、２つの直径方向で相対する平面状の上面９１と下面９２との間に、おおよそ０．０１０ｍｍからおおよそ０．０２５ｍｍの間の厚さ寸法９３を好ましくは有する。なおもさらには、好ましい実施形態では、アーチワイヤ９０は、２つの直径方向で相対する径方向に湾曲した凸状面９６、９７の間で延び、アーチワイヤ９０の中心９５を通過する線において測定されるおおよそ０．０２２５ｍｍから０．０３００ｍｍの間の直径寸法９９を有する。
【００５６】
本発明１０は、図１７〜図１９を参照して最良に見られるブラケット本体挿入体１００をさらに備える。ブラケット本体挿入体１００は、アーチワイヤ９０がアーチワイヤスロット６０に受け入れられる前のときに、アーチワイヤスロット６０の中に受け入れられる。ブラケット本体挿入体１００は、第１の端１０１と、反対側の第２の端１０２とを有する。ブラケット本体挿入体１００は、天面または上を向く面１０４と、反対側の底面または下を向く面１０５とによって画定される細長い主本体１０３をさらに有する。なおもさらには、主本体１０３の前向き面１０６は、アーチワイヤスロット６０の後（前を向く）壁を形成し、反対側の後向き面１０７は、ブラケット本体４０によって画定される支持壁または凹状壁６５に並置された圧し掛かる関係で、または、支持壁または凹状壁６５に対して圧し掛かる。ブラケット本体挿入体１００は、天面１０４と底面１０５との間で測定されるような高さ寸法を有し、その高さ寸法は、平面状の上面６３と下面６４との間の高さ寸法１８より小さく、アーチワイヤスロット６０を少なくとも一部で画定する。主本体１０３の高さ寸法は、主本体１０３をアーチワイヤスロット６０の中に受け入れさせることができ、ブラケット本体４０によってさらに形成されている支持壁または凹状壁６５に対して嵌まり合う受け入れでさらに圧し掛かる。ブラケット本体挿入体１００の主本体１０３が、前向き面１０６と後向き面１０７との間で測定されるような実質的に一定の厚さ寸法を有し得る、または、変化する寸法をさらに有し得る（つまり、一方の端１０１から相対する端１０２へと斜めにされる）ことは、理解されるべきである。このようにして、ブラケット本体挿入体１００は、患者の歯１１に第１の次元の移動１３、第２の次元の移動１４、及び第３の次元の移動１５を提供する歯科矯正ブラケット１０を、横断して配置されたアーチワイヤスロット６０に受け入れられるアーチワイヤ９０の臨床的に所定の操作なしで提供することをとりわけ含む、本発明の便益のうちの一部を提供するように、結果生じるアーチワイヤスロット６０の断面寸法を選択的に調節するための便利な手段を提供する。
【００５７】
ブラケット本体挿入体１００は、ブラケット本体挿入体１００の第１の端１０１及び第２の端１０２に位置付けられている第１及び第２のフランジ部分１１３を有する。具体的には、第１及び第２のフランジ部分１１３は、先に検討したように、ブラケット基部２０に画定された側方の凹部３７において係合するように、ブラケット本体４０の第１の側４４及び第２の側４５を越えて外へと延び、後でさらに詳細に検討されているように、ブラケット本体挿入体１００が適切に位置決めまたは調節され得るように、図示されていない臨床医がブラケット本体挿入体１００を容易に視覚的に特定することができる便利な手段をさらに提供する。フランジ部分１１３の各々は、突起１１４を有する外側を向く面を有し、突起１１４は、ブラケット本体挿入体１００をアーチワイヤスロット６０から少なくとも部分的に取り外すように十分な力を都合よく発揮するために、限定されることはないが、ピンセットなどの工具を臨床医に使用させることができる。ブラケット本体挿入体１００は、ブラケット本体挿入体１００の第１の端１０１に隣接する後面１０７に対して、通常は下向きに延びる第１の係合部分１１１をさらに有する。第１の係合部分１１１は、アーチワイヤスロット６０に隣接してブラケット本体４０の第１の近心側４４に形成される第１の通路７１の中にスライド可能に受け入れられるような構成及び寸法とされている。なおもさらには、ブラケット本体挿入体１００は、相対する第２の係合部分１１２を備え、第２の係合部分１１２は、さらに、アーチワイヤスロット６０に隣接してブラケット本体４０の第２の遠心側４５に形成される第２の通路７２に受け入れられる構成及び寸法とされている。第１の係合部分１１１は、ブラケット基部２０に形成されている複数の係合領域３６のうちの１つの中に嵌まり合って受け入れられるように動作可能である遠位端を有する。同様に、第２の係合部分１１２は、ブラケット基部２０に形成されている複数の係合領域３６のうちの１つの中に嵌まり合って係合されるように動作可能である遠位端を有する。
【００５８】
ブラケット本体挿入体１００は、細長い主本体１０３の後面１０７から概して垂直に外向きに延び、第１の係合部分１１１と第２の係合部分１１２との間の概して中間において延びる一体的な細長い直線的な中間係合部材１１８さらに担持している。中間係合部材１１８は、ブラケット本体４０に画定された通路７０の中に軸方向で解除可能に受け入れられる構成及び寸法とされており、細長い主本体１０３の反対側に遠位端１２１を有し、ブラケット本体４０の雄ピン部材８１に画定された横断貫通孔７３と一列に並ぶ細長い孔１１９（図１８）をさらに画定している。中間係合部材１１８の細長い縁部分における摩擦隆条部１１０が、本発明の精度及び正確性を無効にする影響を有し、本歯科矯正ブラケット装置及び方法によって患者の歯１１に発揮される正確な所定の力及びトルク結合の低下／悪影響を与える、ブラケット本体４０とブラケット基部２０との間の「遊び」または「ガタつき」を防止するために、ブラケット本体４０をブラケット基部２０に対して安定させている。
【００５９】
認められるように、ブラケット本体挿入体１００の主本体１０３がアーチワイヤスロット６０の中に挿入されるとき、中間係合部材１１８は中間通路７０に受け入れられ、第１の係合部分１１１及び第２の係合部分１１２の遠位端は、ブラケット基部２０に個々に形成されている複数の係合領域３６のうちの１つの中に受け入れられ、それによって、ブラケット本体４０をブラケット基部２０に対して適切な回転可能な配向において固定して回転可能に位置決めするときに効果的である。さらに、フランジ部分１１３は、支持を提供し、歯石及び／または食べかすの蓄積／堆積を防止／抑制するために、ブラケット基部２０の側方の凹部３７に係合する。ブラケット本体４０の主ピン部材８１と、中間係合部材１１８に画定された細長い孔１１９とに通過させるようにする固定ピン１２０の横断貫通孔７３への挿入は、ブラケット本体挿入体１００と、ブラケット基部２０に対するブラケット本体４０の配向とを位置的に固定する。
【００６０】
中間係合部材１１８に画定された細長い孔１１９が、ブラケット本体挿入体１００をアーチワイヤスロット６０から部分的に引出し／取り外しさせることができ、第１の係合部分１１１及び第２の係合部分１１２をそれぞれブラケット基部２０に画定されたそれぞれの係合領域３６から効果的に係合解除させ、これは、それに応じて、横断貫通孔７３に担持され、ブラケット本体挿入体１００の中間係合部材１１８に画定された細長い孔１１９を通じてつながる保持ピン１２０を完全に取り外す必要なく、それぞれのブラケット本体４０をそれぞれのブラケット基部２０に対して回転可能に移動／調節させることもできることは、図から認められるものである。この特徴は、調節の容易性を提供し、アーチワイヤ９０が壊れるなどの事象において、ブラケット本体４０の不用意な係合解除及び可及的な紛失を防止する。
【００６１】
さらに、図面から認められるように、ブラケット本体挿入体１００の主本体１０３は、異なる厚さ寸法において製作でき、結果的に、歯科矯正ブラケット１０が供給でき、患者の歯１１の移動に影響を与えるために臨床医が選択してカスタマイズ可能なトルク表現を有することができる手段を提供する。
【００６２】
なおもさらには、ブラケット本体挿入体１００が、ブラケット本体４０をブラケット基部２０に対して複数の可及的に異なる角度配向で適切に位置決めすることができることは、認められるものである。これは、患者の歯１１の不正咬合を矯正するために同じ歯科矯正ブラケット１０を用いる臨床医に複数の治療の選択肢を提供する。これらの複数の位置または配向は、治療する臨床医が患者のために確立した臨床的な便益を達成するために、小さいトルク、中くらいのトルク、または大きいトルクを患者の歯１１に適用することを構成できる。この特徴が、角度のある後面２３を有するブラケット基部２０と組み合わされるとき、これまでは利用不可能であって複数の治療の選択肢が、ここでは治療する臨床医に利用可能とさせられる。
【００６３】
最も広範な態様のうちの１つにおいて、本発明は、ブラケット基部２０を備え、臨床医によって処方されるような複数ステップの歯科矯正治療の方法、レジメン、または計画を受ける患者の歯１１にさらに解除可能に固定される歯科矯正ブラケットに関する。ブラケット基部２０は、歯科矯正治療レジメンの期間の間、患者の歯１１に固定されたままであり、臨床によって選択された歯科矯正治療レジメンは、臨床医が第１の次元の移動１３、第２の次元の移動１４、及び／または第３の次元の移動１５を、歯科矯正治療レジメンを受ける患者の歯１１にそれぞれ付与することを必要とし得る。本発明１０は、複数のブラケット本体４０の使用を可能にし、それらブラケット本体４０は、臨床医によって選択され、さらに、歯科矯正治療レジメンの期間の間の所定の選択された時間の期間の間、ブラケット基部２０と個々に、連続的に、解除可能に、移動可能に、嵌まり合って協働し、また、患者の歯１１の臨床的に望まれる大きさの移動を達成するために臨床医によって選択される第１の次元の移動１３、第２の次元の移動１４、及び第３の次元の移動１５を付与するように歯科矯正治療レジメンを受ける歯１１に臨床医が選択した大きさの力を伝えることを個別及び／または集合的に容易にする。図面において見られるような配置では、提供されているようなブラケット基部２０は、第１の縁部分２６と、相対する第２の縁部分２７との間に斜めにされた後面２３を有し、そのため、選択される歯科矯正治療レジメンの間、患者の歯１１に発揮され得る追加または低減した大きさのトルクを臨床医に提供する。
【００６４】
記載されているような歯科矯正ブラケットは第１の形態のブラケット基部２０を備え、そのブラケット基部２０は、臨床医によって選択された複数のステップの歯科矯正治療レジメンを容易にするように、複数のブラケット本体４０と個々に嵌まり合って連続的に協働するように動作可能である。先の段落では、１つの可及的なブラケット本体４０が、相当の詳細で記載されている。本発明の特徴のうちの１つは、患者の治療を早めるように、及び、選択される歯科矯正治療レジメンの間に患者の不快感を回避するように、臨床医にはおなじみの歯科矯正器具及び歯科矯正治療の方法を臨床医に利用するように促す歯科矯正ブラケットまたは器具に関する。本明細書において先に述べられているように、実施する臨床医が直面するいくつかの差し迫った課題のため、新しい歯科矯正の技術、実施、及び器具の採用及び習得は、新しい技術を習得し、延いては、患者の受け持ちの競合する要求、及び、患者のためにすでに確立されている既存の治療計画を「やり繰り」するために必要な時間のため、しばしば遅らされる。本発明は、臨床医におなじみの歯科矯正器具及び技術を臨床医が使用し続けることができ、すでに確立されているが、臨床医が治療計画を早めるために患者の歯１１から歯科矯正ブラケット４０全体を取り外す必要がないため、ここでは早められることになる歯科矯正治療の計画またはレジメンで臨床医が進めることができる手段を提供する。むしろ、臨床医は、レジメンの計画または療法の間に患者の歯１１に永久的に固定されたままであるブラケット基部２０において、解除可能及び調節可能に搭載される必要なブラケット本体４０を取り外してから交換する必要があるだけである。
【００６５】
図面において見られるような配置では、検討されているようないくつかのブラケット本体４０は、ここでは、先に記載されているものなどのブラケット基部２０と嵌まり合って協働し、複数のステップの歯科矯正治療計画の実施の間、ブラケット基部２０に対して調節可能に移動可能である。なおもさらには、臨床医によって決定されるように、本明細書で開示されているようなブラケット本体４０のうちの少なくとも一部は、ブラケット基部２０と嵌まり合って協働し、複数のステップの歯科矯正治療レジメンの間に不動である。なおもさらには、ブラケット本体４０のうちの少なくとも一部は、開示されているようなブラケット基部２０と嵌まり合って協働するとき、歯科矯正治療レジメンの間、ブラケット基部２０に対して調節可能に移動可能及び移動不可能であることは、図の検討から理解されるべきである。このようなことは、先に検討されているようなブラケット本体挿入体１００の使用によってもたらされ得る。ブラケット本体挿入体１００が、第１の次元の移動１３、第２の次元の移動１４、及び第３の次元の移動１５をそれぞれもたらす一方で、アーチワイヤスロット６０の中心６７の位置を実質的に維持するように、先に記載されたブラケット基部２０と協働する場合、ブラケット本体４０をブラケット基部２０に対して所与の配向で調節可能に配向または位置決めするときに効果的であることは、留意されるべきである。
【００６６】
動作
本発明の記載されている実施形態の動作は、容易に明らかになると考えられており、この点において手短にまとめられる。本発明の広範な態様のうちの１つにおいて、本発明は、プラットフォーム基部２０を備え、さらに患者の歯１１の前面１２に解除可能に保持される歯科矯正ブラケット１０に関する。さらに、本発明１０は、歯科矯正治療レジメンの間に患者の歯１１の前向き面１２からのプラットフォーム基部２０の取り外しなしで、治療する臨床医によって患者のために選択されている歯科矯正治療の方法／レジメンを容易にするように、プラットフォーム基部２０と個々に嵌まり合って連続的に協働する複数のブラケット本体４０を備える。
【００６７】
患者の歯１１の不正咬合を受動的な結紮歯科矯正装置システムで治療するための方法は、患者の歯１１を検査し、患者の歯列弓（図示せず）に沿って歯科矯正治療を必要とする各々の個々の歯１１の現在の場所及び現在の配向を特定するステップと、患者の歯列弓に沿って各々の個々の歯１１の所望の場所及び所望の配向を決定するステップと、各々の個々の歯１１を、特定された現在の場所及び特定された現在の配向から、患者の歯列弓に沿う決定された所望の場所及び決定された所望の配向へと移動及び再配向するために必要な第１の次元の力１３、第２の次元の力１４、及び第３の次元の力１５を決定するステップと、現在の場所及び現在の配向から、患者の歯列弓に沿う決定された所望の場所及び決定された所望の配向への各々の個々の歯１１の決定された所望の移動及び再配向を達成するために、各々の個々の歯１１について、適切なブラケット基部２０、適切なブラケット本体４０、及び適切なブラケット本体挿入体１００を選択するステップと、選択された適切なブラケット基部２０を、特定された個々の歯１１の前向き面１２に取り付け、直に隣接する歯における直に隣接するブラケット本体と中心の同じ高さのアーチワイヤスロット６０の列形成を達成するために、選択された適切なブラケット基部２０を一列に並べるステップと、選択された適切なブラケット本体４０を各々の取り付けられたブラケット基部２０に取り付け、それぞれの歯１１の所望の移動を達成しつつ、中心の同じ高さのアーチワイヤスロット６０の列形成を維持するために、あらかじめ決定された第１の次元の力１３、第２の次元の力１４、及び第３の次元の力１５を発揮するように、取り付けられたブラケット基部２０に対して各々の選択されたブラケット本体４０を配向するステップと、選択されたブラケット本体挿入体１００を、ブラケット基部２０に取り付けられてブラケット基部２０に対して配向された各々のブラケット本体４０へと設置し、所望のブラケット本体４０の配向及び中心の同じ高さのアーチワイヤスロット６０の列形成を確立するようにブラケット基部２０に対してブラケット本体４０を解除可能に位置的に固定及び位置的に維持するために、保持ピン１２０をブラケット本体挿入体１００及びブラケット本体４０において画定された貫通孔７３に挿入するステップと、個々のブラケット基部２０に取り付けられたそれぞれのブラケット本体４０によって画定された一列に並べられた中心の同じ高さのアーチワイヤスロット６０の中に動作可能に受け入れられるように第１の適切なアーチワイヤ９０を選択し、歯の治療を受ける患者の歯１１の各々の所望の移動及び所望の配向を達成するために、あらかじめ決定された第１の次元の力１３、第２の次元の力１４、及び第３の次元の力１５を発揮するステップであって、アーチワイヤ９０は、患者の歯列弓と形が同様である元の構成を有する、ステップと、選択された第１の適切なアーチワイヤ９０を、各々のブラケット本体４０によって画定されたそれぞれの中心の同じ高さのアーチワイヤスロット６０へと、患者の歯列弓と実質的に同様である第１のアーチワイヤの元の構成からの第１のアーチワイヤ９０の材料的な変形、曲げ、または捩じれなしで配置するステップと、移動可能ゲート５０を各々の選択されたブラケット本体４０にスライド可能に取り付け、中心の同じ高さのアーチワイヤスロット６０が移動可能ゲート５０によって実質的に閉じられ、アーチワイヤ９０が中心の同じ高さのアーチワイヤスロット６０の中で動作可能に配向され、さらに、中心の同じ高さのアーチワイヤスロット６０に対して軸方向のみに移動可能となるように、移動可能ゲート５０を所定位置へと付勢するステップであって、アーチワイヤ９０は、各々の個々の歯１１への第１の次元の移動１３、第２の次元の移動１４、及び第３の次元の移動１５を、歯科矯正治療を受ける任意の隣接する歯１１において同じ第１の次元の移動１３、同じ第２の次元の移動１４、または同じ第３の次元の移動１５を同時に発揮することなく発揮する、ステップと、各々の歯１１の現在の場所及び現在の配向から、各々の歯１１の所望の場所及び所望の配向に向かう、患者の歯１１の各々の第１の次元の移動１３、第２の次元の移動１４、及び第３の次元の移動１５を監視するステップと、歯科矯正治療を受ける患者の歯１１の各々が、所望の第１の次元の移動１３、所望の第２の次元の移動１４、及び所望の第３の次元の移動１５において、中間の場所、中間の配向、及び、第１のアーチワイヤ９０が第１の次元の力１３、第２の次元の力１４、及び第３の次元の力１５をそれぞれの歯１１にもはや発揮しない、中心の同じ高さのアーチワイヤスロット６０の中に動作可能に受け入れられるアーチワイヤ９０に対する中立位置へといつ移動したかを決定するステップと、選択された第１のアーチワイヤ９０を、ブラケット本体４０の各々によって画定されたそれぞれの中心の同じ高さのアーチワイヤスロット６０から取り外すステップと、各々の個々の歯１１の所望の移動及び所望の配向を達成するように、それぞれのブラケット基部２０に解除可能に取り付けられるブラケット本体４０の各々によって個々に画定された中心の同じ高さのアーチワイヤスロット６０の中に動作可能に受け入れられるように第２の適切なアーチワイヤ９０を選択するステップと、選択された第２の適切なアーチワイヤ９０を、各々のブラケット本体４０によって画定される中心の同じ高さのアーチワイヤスロット６０へと配置し、中心の同じ高さのアーチワイヤスロット６０の中で担持されて包囲される選択された第２のアーチワイヤ９０が中心の同じ高さのアーチワイヤスロット６０の中において軸方向のみにおいて移動可能となるように中心の同じ高さのアーチワイヤスロット６０が移動可能ゲート５０によって少なくとも部分的に塞がれるように移動可能ゲート５０を所定位置へと付勢するステップであって、選択された第２のアーチワイヤ９０は、各々の個々の歯１１における臨床医が選択した第１の次元の移動１３、第２の次元の移動１４、及び／または第３の次元の移動１５を、患者の任意の隣接する歯１１における同じ第１の次元の移動１３、同じ第２の次元の移動１４、及び同じ第３の次元の移動１５を発揮することなく発揮する、ステップと、中間の場所及び中間の配向から、各々の歯についての所望の最終的な場所及び所望の最終的な配向に向かう、患者の歯１１の各々の第１の次元の移動１３、第２の次元の移動１４、及び第３の次元の移動１５を監視するステップと、各々の個々の歯１１が、所望の第１の次元の移動１３、所望の第２の次元の移動１４、及び所望の第３の次元の移動１５において、アーチワイヤスロット６０の中の選択された第２のアーチワイヤ９０に対する中立位置へと、ならびに、所望の最終的な場所及び所望の最終的な配向へといつ移動したかを決定するステップと、選択された第２のアーチワイヤ９０、それぞれのブラケット本体挿入体１００、ブラケット本体４０、及びブラケット基部２０を患者の歯１１から取り外すステップとを含む。
【００６８】
方法は、ブラケット本体挿入体１００をアーチワイヤスロット６０から少なくとも部分的に取り外すことで、それぞれのブラケット基部２０に対するブラケット本体４０の配向を調節するステップと、それぞれのブラケット本体４０をそれぞれのブラケット基部２０に対して新しい第２の所望の配向へと枢動させるステップと、新しい第２の所望の配向においてブラケット本体４０をブラケット基部２０に位置的に固定するためにブラケット本体挿入体１００を再設置するステップと、アーチワイヤ９０をアーチワイヤスロット６０へと挿入するステップとをさらに含む。
【００６９】
本発明の方法は、臨床医によって選択される歯科矯正治療レジメンを必要とする患者の歯１１の前向き面１２への解除可能な取り付けのために構成されるブラケット基部２０と、歯科矯正治療レジメンの間に患者の歯１１の前向き面１２からブラケット基部２０を取り外すことなく、治療する臨床医による患者のための歯科矯正治療レジメンを容易にするように、ブラケット基部２０と個々に嵌まり合って連続的に協働できる複数のブラケット本体４０であって、複数のブラケット本体４０の各々は、前面の部分４２に３つの側部から構成されるアーチワイヤスロット６０を画定し、アーチワイヤスロット６０は、２つの離間された平行な側壁６３、６４、スロット開口、及び、スロット開口と反対側の基礎壁６５を有する、複数のブラケット本体４０と、各々のブラケット本体４０のアーチワイヤスロット６０の中において、基礎壁６５に隣接して解除可能に担持されるブラケット本体挿入体１００であって、それぞれのブラケット本体４０をそれぞれのブラケット基部２０に対して所望の角度配向で位置的に固定するために、外向きに延び、それぞれのブラケット基部２０と摩擦でつながる係合部分１１１、１１２を各々が有し、さらにアーチワイヤスロット６０の後ろ部分を形成する前向き面１０６を有するブラケット本体挿入体１００と、複数のブラケット本体４０の各々によって画定されるアーチワイヤスロット６０の中での解除可能な同時の係合のためのアーチワイヤ９０であって、アーチワイヤ９０は、患者の歯列弓に対して密に離間した関係で、歯列弓に沿って位置決めされる第１の元の構成を有し、アーチワイヤ９０は、実質的に均一な円形−正方形または円形−長方形の断面の形を有しており、実質的に均一な断面の形は、２つだけの直径方向で相対する径方向に凸状に湾曲した面９６、９７、及び、２つだけの直径方向で相対する平面状の表面９１、９２を有する、アーチワイヤ９０と、を備える、不正咬合を治療するための歯科矯正ブラケット装置を利用する。
【００７０】
不正咬合を治療するための歯科矯正ブラケット装置では、ブラケット基部２０は、前向き面２２と後向き面２３とをそれらの間に厚さ寸法２８、２９を伴って有し、ブラケット基部２０の第１の縁部分２６における厚さ寸法２８は、ブラケット基部２０の離間した第２の縁部分２７における厚さ寸法２９と異なり、第１の縁部分２６から第２の縁部分２７までのブラケット基部２０の異なる厚さ寸法２８、２９は、直線的であり、おおよそ６．５°から８．５°の間の角形成となる。
【００７１】
不正咬合を治療するための歯科矯正ブラケット装置は、アーチワイヤスロット６０の基礎壁６５からブラケット本体４０の相対する後面６３へとつながる、ブラケット本体４０において画定される中間通路７０と、後面６３に隣接しつつ離間されて、アーチワイヤスロット６０に対して垂直に、ブラケット本体４０に画定される横断して延びる貫通孔７３であって、中間通路７０と交差し、保持ピン１２０を解除可能に担持するように構成される横断貫通孔７３とをさらに備え、ブラケット本体挿入体１００は、第１の端１０１、第２の端１０２、上部１０４、下部１０５、前向き面１０６、後向き面１０７を伴う細長い主本体１０３と、ブラケット本体４０によって画定される中間通路７０の中に軸方向で受け入れられるように構成される係合部材１１８とを有し、係合部材１１８は、第１の端１０１と第２の端１０２との間の中間で、後向き面１０７から概して垂直に延び、係合部材１１８は、主本体１０３から離間させられる遠位端１２１をさらに有し、上部１０４と下部１０５との間、及び、遠位端１２１と主本体１２３との間でつながる細長い孔１１９を画定し、係合部材１１８がブラケット本体４０によって画定される中間通路７０の中に係合させられるとき、細長い孔１１９は、ブラケット本体４０に画定された横断貫通孔７３と一列に並べられ、係合部材１１８は、中間通路７０の周囲面と摩擦でつながる摩擦突起部１１０を、係合部材１１８と摩擦突起部１１０との間の「移動」を排除するようにそれ自体において担持し、係合部材１１８において画定される細長い孔１１９は、それ自体を通じて延びる保持ピン１２０と協働して、ブラケット本体４０を、それぞれのブラケット基部２０に対して回転可能に移動させることができるように、ブラケット本体４０に対するブラケット本体挿入体１００の限定された軸方向の移動を可能にして、治療している臨床医が、患者の歯科矯正治療レジメンを容易にするように、それぞれのブラケット基部２０に対するそれぞれのブラケット本体４０の相対位置を調節することを許容する。
【００７２】
不正咬合を治療するための歯科矯正ブラケット装置では、ブラケット本体挿入体１００は、歯科矯正治療レジメンの間、それぞれのブラケット本体４０を、ブラケット基部２０及び患者の歯１１に対して所定の配向で固定するようにそれぞれのブラケット本体４０と動作可能に協働するような構成及び寸法とされ、それぞれのブラケット本体４０は、アーチワイヤスロット６０を画定する前向き面４２と、ブラケット基部２０と移動可能に係合するように協働する反対側の後向き面４３とを各々有し、各々のブラケット本体４０は、アーチワイヤスロット６０に隣接する第１の縁部分４４において第１の通路７１を画定し、第１の通路７１は、アーチワイヤスロット６０の基礎壁６５からブラケット本体４０の後向き面４３へとつながり、各々のブラケット本体４０は、第２の縁部分４５において、アーチワイヤスロット６０に隣接して第２の通路７２さらにさらに画定し、第２の通路７２は、アーチワイヤスロット６０の基礎壁６５からブラケット本体４０の後向き面４３へとつながり、ブラケット本体挿入体１００は、第１の端部分１０１、第２の端部分１０２、後向き面１０６、及び前向き面１０７を伴う細長い主本体１０３を有し、第１の端部分１０１及び第２の端部分１０２に隣接する細長い主本体１０３の後向き面１０６に対して通常は下向きに延びる第１の係合部分１１１及び第２の係合部分１１２をさらに有し、各々の係合部分１１１、１１２は、ブラケット本体４０の第１の縁部分４４及び第２の縁部分４５において画定される第１の通路７１及び第２の通路７２の中にスライド可能に受け入れられるような構成及び寸法とされ、各々の係合部分１１１、１１２は、細長い主本体１０３と反対側にあり、ブラケット基部２０の前面２２に形成される離間して配列された複数の係合領域３６のうちの１つの中に嵌まり合って受け入れられるように動作可能である遠位端をさらに有し、各々のブラケット本体挿入体１００は、ブラケット本体４０に対して外向きに延び、ブラケット本体挿入体１００がブラケット本体４０とブラケット基部２０との両方と係合させられるときに、離間して配列された複数の係合領域３６に隣接するブラケット基部２０の側方部分２６、２７において画定される側方凹部３７の中に受け入れられる寸法とされるフランジ部分１１３を、細長い主本体１０３の各々の端部分１０１、１０２にさらに有し、第１の係合部分１１１、第２の係合部分１１２、及びフランジ部分１１３は、それぞれのブラケット本体４０及びアーチワイヤスロット６０に対するブラケット本体挿入体１００の限定された移動だけを可能にするように構成され、ブラケット本体４０に対するブラケット本体挿入体１００の限定された移動は、患者の歯科矯正治療レジメンを容易にするように、臨床医がブラケット基部２０に対するそれぞれのブラケット本体４０の相対位置を調節することを許容する。
【００７３】
不正咬合を治療するための歯科矯正ブラケット装置では、ブラケット本体４０のうちの少なくとも一部は、ブラケット基部２０と嵌まり合って協働するとき、歯科矯正治療レジメンの間、ブラケット基部２０に対して調節可能に移動可能または移動不可能である。
【００７４】
不正咬合を治療するための歯科矯正ブラケット装置では、ブラケット基部２０と嵌まり合って協働するブラケット本体４０は、歯科矯正治療レジメンの間、ブラケット基部に対して移動不可能または調節可能に移動可能であり、それぞれのブラケット本体４０は、従来のブラケット本体と、双ブラケット本体と、受動的な結紮ブラケット本体と、能動的な結紮ブラケット本体と、ブラケット基部２０に対して移動不可能または調節可能に移動可能のいずれかであり、中立の、大きい、及び／または小さいトルクを発生させるブラケット本体と、歯科矯正治療レジメンを受ける患者の歯１１に中立の、小さい、及び／または大きいトルクを発生させるフック及び／または他の歯科矯正器具を有するブラケット本体４０と、をさらに備える。
【００７５】
不正咬合を治療するための歯科矯正ブラケット装置は、臨床医によって処方される複数ステップの歯科矯正治療レジメンを受ける患者の歯１１への解除可能な取り付けのために構成されるブラケット基部２０であって、ブラケット基部２０は歯科矯正治療レジメンの期間の間に患者の歯１１に固定されて留まり、臨床医によって選択される歯科矯正治療レジメンは、臨床医が、第１の次元の移動１３、第２の次元の移動１４、及び／または第３の次元の移動１５を、歯科矯正治療レジメンを受ける患者の歯１１へ付与することを必要とし得る、ブラケット基部２０と、臨床医によって選択され、歯科矯正治療レジメンの期間の間の所定の選択された時間の期間の間、ブラケット基部２０と個々に、連続的に、解除可能に、嵌まり合って協働し、それぞれの歯１１の所望の移動を達成するために臨床医によって選択される第１の次元の移動１３、第２の次元の移動１４、及び第３の次元の移動１５を付与するように歯科矯正治療レジメンを受ける各々の歯１１に臨床医が選択した大きさの力を伝えることを個別及び／または集合的に容易にする複数のブラケット本体４０と、をさらに備える。
【００７６】
不正咬合を治療するための歯科矯正ブラケット装置では、ブラケット基部２０と協働するブラケット本体４０は、歯科矯正治療レジメンの間、ブラケット基部２０に対して移動不可能または調節可能に移動可能であり、それぞれのブラケット本体４０は、従来のブラケット本体と、双ブラケット本体と、受動的な結紮ブラケット本体と、能動的な結紮ブラケット本体と、プラットフォーム基部２０に対して移動不可能または調節可能に移動可能のいずれかであり、中立の、大きい、及び／または小さいトルクを発生させるブラケット本体と、歯科矯正治療レジメンを受ける患者の歯１１に中立の、小さい、及び／または大きいトルクを発生させるフック及び／または他の歯科矯正器具を有するブラケット本体４０と、をさらに備える。
【００７７】
不正咬合を治療するための歯科矯正ブラケット装置は、患者の歯１１の前向き面１２に隣接して嵌まり合って解除可能に位置決めされるように構成されるブラケット基部２０であって、患者の歯１１は複数のステップの歯科矯正治療レジメンを受け、ブラケット基部２０は前向き面２２と後向き面２３とをそれらの間に厚さ寸法２８、２９を伴って有し、ブラケット基部２０の第１の縁部分２６における厚さ寸法２８はブラケット基部２０の離間した第２の縁部分２７における厚さ寸法２９と異なる、ブラケット基部２０と、ブラケット基部２０の前向き面２２と個々に嵌まり合って連続的に協働するように動作可能で、複数のステップの歯科矯正治療レジメンの個々のステップを実施する複数のブラケット本体４０とを備え、ブラケット基部２０の後向き面２３は、患者の歯１１の前向き面１２に対して並置させられ、ブラケット基部２０は、所定の変化する厚さ寸法２８、２９と、変化する度合いのトルク及び他の力を付与するように歯科矯正治療レジメンを受ける患者の歯１１に対する配向においてブラケット基部２０と協働するそれぞれのブラケット本体４０を位置付け、患者の歯１１が持つ歯科矯正異常を組み合わせで矯正するトポグラフィと、を有する。
【００７８】
不正咬合を治療するための歯科矯正ブラケット装置では、複数ステップの歯科矯正治療レジメンは、個々の特有の歯科矯正異常を有する患者の複数の歯１１の治療を含み、同じブラケット基部２０が、患者の歯１１の各々に用いられ、歯科矯正治療レジメン全体の間にそれぞれの歯１１に固定されたままである。
【００７９】
不正咬合を治療するための歯科矯正ブラケット装置は、患者の複数の歯１１のうちの１つの前向き面１２に接着剤で解除可能に保持されるように構成されるブラケット基部２０であって、患者の歯１１のうちの少なくとも一部は、臨床医によって実質的に同時に実施される歯科矯正治療レジメンを必要とし、ブラケット基部２０は、歯科矯正治療レジメンの間に患者の歯１１の前向き面１２に固定されたままである、ブラケット基部２０と、歯科矯正治療レジメンを容易にするように、ブラケット基部２０と個々に嵌まり合って連続的に協働でき、ブラケット基部２０に対して部分的に回転できる複数のブラケット本体４０であって、各々のブラケット本体４０は、前面部分４２に３つの側部から構成されるアーチワイヤスロット６０を画定し、各々のアーチワイヤスロット６０は、２つの離間された平行な側壁６３、６４、スロット開口、及び、スロット開口と反対側の基礎壁６５を有し、３つの側部から構成される各々のアーチワイヤスロット６０は、中心領域及び中心６７をさらに有し、アーチワイヤスロット６０の中心領域と、歯科矯正治療レジメンを受けている患者の他の隣接する歯１１に位置付けられるなおも他のブラケット本体４０の他のアーチワイヤスロットの中心領域との間で延びる所与の参照の線に沿ってさらに配向される、複数のブラケット本体４０と、それぞれのブラケット本体４０の各々のアーチワイヤスロット６０の間で延び、アーチワイヤスロット６０の中に受け入れられ、歯科矯正治療レジメンをさらに受けるそれぞれの患者の歯１１の前向き面１２に解除可能に位置決めされるアーチワイヤ９０であって、それぞれのブラケット基部２０に対するブラケット本体４０の部分的な回転は、臨床医が、アーチワイヤスロット６０の中に実質的に包囲されるアーチワイヤ９０を強制的に係合することで、所定の大きさのトルクを患者のそれぞれの歯１１に付与することを許容し、ブラケット基部２０と解除可能に係合するブラケット本体４０の所定の大きさのトルクの調節及び／または交換は、各々のブラケット本体アーチワイヤスロット６０の中心領域が、所定の参照の線に沿って実質的に配向されて留まり、患者の隣接する歯１１に位置付けられるブラケット本体４０のアーチワイヤスロット６０に対して実質的に同じ鉛直位置に留まる間に行われる、アーチワイヤ９０と、を備える。
【００８０】
不正咬合を治療するための歯科矯正ブラケット装置は、患者の歯列弓に対して密に離間した関係で、歯列弓に沿って位置決めされる第１の元の構成を有するアーチワイヤ９０であって、アーチワイヤ９０は、実質的に均一な円形−正方形または円形−長方形の断面の形を有し、実質的に均一な断面の形は、２つだけの直径方向で相対する径方向に湾曲した面９６、９７、及び、２つだけの直径方向で相対する平面状の面９１、９２を有する、アーチワイヤ９０と、第１の歯科矯正ブラケット１０及び第２の歯科矯正ブラケット１０であって、第１の歯科矯正ブラケット１０及び第２の歯科矯正ブラケット１０の各々は、ブラケット本体４０、及び、ブラケット本体４０の後側４３に位置付けられるブラケット基部２０を有し、患者の歯１１の前向き面１２に解除可能に固定されるように適合される後面２３をさらに有し、ブラケット本体４０は、ブラケット本体４０において画定されるアーチワイヤスロット６０への開口を画定する前外側を向く面４２をさらに有し、アーチワイヤスロット６０は、アーチワイヤ９０を受け入れるような大きさとされ、ブラケット本体４０の前外側を向く部分４２は、移動可能ゲート５０をスライド可能に担持するように構成され、移動可能ゲート５０は、前向き面５４と、相対する後向き面５５とを有し、アーチワイヤスロット６０の開放に対する開位置５２と、アーチワイヤスロット６０の開放に対する閉位置との間でさらにスライド可能に移動可能であり、移動可能ゲート５０がアーチワイヤスロット６０の開放に対する閉位置に位置付けられるとき、移動可能ゲート５０の後向き面５５とアーチワイヤスロット６０とは、必ずしも直角ではない４つの角度によって画定される断面の四角形を有する４つの側部から構成されるアーチワイヤ通路６０を画定し、四角のアーチワイヤ通路６０は、患者の歯１１に対する第１の次元の移動１３、第２の次元の移動１４、及び／または第３の次元の移動１５をもたらすように、所定の力１３、１４、１５をブラケット本体４０に適用するためにアーチワイヤ９０を包囲してアーチワイヤ９０と協働し、アーチワイヤ９０は、四角のアーチワイヤ通路６０の中で、ブラケット本体４０及びブラケット基部２０に対して、軸方向に移動可能であり、移動可能ゲート５０の前向き面５５は、ブラケット本体４０の前外側を向く面４２によって画定される平面に実質的に沿って位置し、移動可能ゲート５０の前向き面５４における隆条部５６が、それぞれのブラケット本体４０に対する移動可能ゲート５０の正確な角度配向を維持し、第１のブラケット基部２０は、患者の第１の歯１１の前面１２に解除可能に固定され、第１のブラケット本体４０は、第１の所定の力を第１の歯１１に向かわせ、第１の歯１１の結果生じる移動をもたらすように、そのそれぞれのブラケット基部２０に対するそのそれぞれの四角のアーチワイヤ通路６０の第１の角度配向を有し、第２のブラケット基部２０は、患者の第２の歯１１の前面１２に解除可能に固定され、第２のブラケット本体基部４０は、第２の所定の力を第２の歯１１に向かわせ、第２の歯１１の結果生じる移動をもたらすように、そのそれぞれのブラケット基部２０に対するそのそれぞれの四角のアーチワイヤ通路６０のための第２の角度配向を有し、第１の角度配向は第２の角度配向と異なり、第１のブラケット本体４０及び第２のブラケット本体４０は、中心の同じ高さのアーチワイヤスロット６０の列形成と一列に並び、アーチワイヤ９０は、力を第１の歯１１または第２の歯１１に付与するように第１の元の構成と異なる形を取るために、それぞれのブラケット本体４０において画定されるそれぞれのアーチワイヤスロット６０の中での配置の前に意図的に歪められることがない、第１の歯科矯正ブラケット１０及び第２の歯科矯正ブラケット１０とを備える。
【００８１】
不正咬合を治療するための歯科矯正ブラケット装置では、４つの側部から構成されるアーチワイヤ通路６０の断面の四角形は平行四辺形である。
【００８２】
不正咬合を治療するための歯科矯正ブラケット装置では、４つの側部から構成されるアーチワイヤ通路６０の断面の四角形は菱形である。
【００８３】
不正咬合を治療するための歯科矯正ブラケット装置では、第１のブラケット基部２０と第２のブラケット基部２０とは、歯１１から隣接する歯１１へと実質的に水平で一列に並べられる。
【００８４】
不正咬合を治療するための歯科矯正ブラケット装置では、第１の歯科矯正ブラケット１０のブラケット基部２０は、第１の歯１１の長手方向軸１１Ｃに少なくとも一部基づいて、第１の歯１１において一列に並べられ、第２の歯科矯正ブラケット１０のブラケット基部２０は、第２の歯１１の長手方向軸１１Ｃに少なくとも一部基づいて、第２の歯１１において一列に並べられる。
【００８５】
不正咬合を治療するための歯科矯正ブラケット装置では、移動可能ゲート５０の前向き面５４に形成される隆条部５６は、周囲の縁に隣接しつつ離間されて位置決めされ、隆条部５６は、移動可能ゲート５０が閉位置にあるとき、アーチワイヤ通路６０の正確な断面の四角形を維持するように移動可能ゲート５０をブラケット本体４０に対して正確な所与の配向で維持するために、それぞれのブラケット本体４０とスライド可能に係合する。
【００８６】
不正咬合を治療するための歯科矯正ブラケット装置では、アーチワイヤ通路６０の断面の四角形は、アーチワイヤスロット６０の平行で内側を向く離間した上面６１及び下面６２と、アーチワイヤスロット６０の上を向く面６１と下を向く面６２との間で延びるブラケット本体挿入体１００の前向き面１０６と、移動可能ゲート５０の後向き面５５とによって画定され、アーチワイヤスロット６０の上内側を向く面６１と、アーチワイヤスロット６０の下内側を向く面６２と、ブラケット本体挿入体１００の前向き面１０６と、移動可能ゲート５０の後内側を向く面５５とは、第１の歯科矯正ブラケット１０及び第２の歯科矯正ブラケット１０において同じ空間的関係で配向される。
【００８７】
不正咬合を治療するための歯科矯正ブラケット装置では、ブラケット本体挿入体１００の前向き面１０６は、それぞれの移動可能ゲート５０が開放しているアーチワイヤスロット６０に対して閉位置にあるとき、移動可能ゲート５０の後内側を向く面５５と平行になる。
【００８８】
不正咬合を治療するための歯科矯正ブラケット装置では、ブラケット本体挿入体１００の前向き面１０６は、それぞれの移動可能ゲート５０が開放しているアーチワイヤスロット６０に対して閉位置にあるとき、移動可能ゲート５０の後内側を向く面５５と平行にならない。
【００８９】
不正咬合を治療するための歯科矯正ブラケット装置では、アーチワイヤ通路６０の四角の断面の形の一部分を画定する４つの角の角度のうちの少なくとも１つが、所与の半径を有する丸められた角を有する。
【００９０】
不正咬合を治療するための歯科矯正ブラケット装置では、アーチワイヤ９０の実質的に均一な断面の形が上を向く面９１と下を向く面９２とを有し、上を向く面９１と下を向く面９２とは、離間されて平行であり、２つの直径方向で相対する径方向に湾曲した凸状面９６、９７の間で延びてそれら湾曲した面９６、９７を連結する。
【００９１】
不正咬合を治療するための歯科矯正ブラケット装置では、アーチワイヤ９０が、２つだけの直径方向で相対する径方向に湾曲した凸状面９６、９７の間に所定の直径９９を有し、所定の直径９９は、アーチワイヤ９０が四角のアーチワイヤ通路６０の中にあり、それぞれのブラケット本体４０と協働するときに、第１の歯１１及び第２の歯１１の一貫した第１の次元の移動制御を維持するために選択され、２つだけの相対する平行な平面状の非湾曲の面９１、９２の間のアーチワイヤ９０の厚さ寸法９３は、患者の第１の歯１１及び第２の歯１１への第２の次元の移動１４または第３の次元の移動１５を向かわせるために、それぞれのブラケット本体４０への力の適用を制御する。
【００９２】
不正咬合を治療するための歯科矯正ブラケット装置では、アーチワイヤ通路６０は、上内側を向く面６３と下内側を向く面６４との間に高さ寸法１８を有し、アーチワイヤ９０は、２つだけの相対する平行な平面状の非湾曲の面９１、９２の間に厚さ寸法９３を有し、厚さ寸法９３は、アーチワイヤ通路６０の高さ寸法１８の約５０％より大きく、厚さ寸法９３は、アーチワイヤ９０の２つだけの直径方向で相対する径方向に湾曲した凸状面９６、９７がそれぞれの歯１１の第１の次元の制御１３を維持する一方で、それぞれの歯１１への第２の次元の移動１４または第３の次元の移動１５を向かわせるように、ある大きさのトルク力をそれぞれのブラケット本体４０に付与する。
【００９３】
不正咬合を治療するための歯科矯正ブラケット装置では、アーチワイヤ９０の２つだけの直径方向で相対する径方向に湾曲した凸状面９６、９７の各々は、１つだけの接触の点において、アーチワイヤ通路６０の内面１０６、５５に各々接触する。
【００９４】
不正咬合を治療するための歯科矯正ブラケット装置では、アーチワイヤ９０の２つだけの直径方向で相対する径方向に湾曲した凸状面９６、９７は、単一の共有される中心を有する円弧である。
【００９５】
不正咬合を治療するための歯科矯正ブラケット装置は、患者の歯列弓に対して密に離間した関係で、歯列弓に沿って位置決めされる第１の元の構成を有するアーチワイヤ９０であって、アーチワイヤ９０は、その全長に沿って、実質的に均一な円形−正方形または円形−長方形の断面の形を有し、実質的に均一な断面の形は、２つだけの直径方向で相対する径方向に湾曲した凸状面９６、９７、及び、２つだけの相対する平行な概して平面状の面９１、９２を有し、２つだけの相対する平行な概して平面状の面９１、９２は、２つだけの直径方向で相対する径方向に湾曲した凸状面９６、９７の間で延びてそれら湾曲した面９６、９７とつながる、アーチワイヤ９０と、第１の歯科矯正ブラケット１０及び第２の歯科矯正ブラケット１０であって、第１の歯科矯正ブラケット１０及び第２の歯科矯正ブラケット１０の各々は、ブラケット本体４０、及び、ブラケット本体４０の後側４３に位置付けられるブラケット基部２０を有し、患者１１の歯の前向き面１２に解除可能に固定されるように適合される後面２３をさらに有し、各々のブラケット本体４０は、ブラケット本体４０において画定されるアーチワイヤスロット６０への開口を画定する前外側を向く面４２をさらに有し、アーチワイヤスロット６０は、ブラケット本体挿入体１００及びアーチワイヤ９０を受け入れるような大きさとされ、ブラケット本体４０の前外側を向く部分４２は、移動可能ゲート５０をスライド可能に担持するように構成され、移動可能ゲート５０は、前向き面５４と、相対する後向き面５５とを有し、アーチワイヤスロット６０の開放に対する開位置５２と、アーチワイヤスロット６０の開放に対する閉位置との間でさらにスライド可能に移動可能であり、移動可能ゲート５０がアーチワイヤスロット６０の開放に対する閉位置に位置付けられるとき、移動可能ゲート５０の後向き面５５と、ブラケット本体挿入体１００の前面１０６と、アーチワイヤスロット６０の上面６３及び下面６４とは、必ずしも直角ではない４つの角度によって画定される断面の四角形を有するアーチワイヤ通路６０を画定し、四角のアーチワイヤ通路６０は、患者の歯１１に対する第１の次元の移動１３、第２の次元の移動１４、及び／または第３の次元の移動１５をもたらすように、所定の力をブラケット本体４０に適用するためにアーチワイヤ９０を包囲してアーチワイヤ９０と協働し、アーチワイヤ９０は、四角のアーチワイヤ通路６０の中で、ブラケット本体４０に対して、軸方向に移動可能であり、移動可能ゲート５０の前向き面５５は、ブラケット本体４０の前外側を向く面４２によって画定される平面に実質的に沿って位置し、移動可能ゲート５０の前向き面５４における隆条部５６が、ブラケット本体４０に対する移動可能ゲート５０の正確な角度配向を維持し、第１の歯科矯正ブラケット１０は、患者の第１の歯１１の前向き面１２に解除可能に固定され、第１の歯科矯正ブラケット１０は、第１の所定の力を第１の歯１１に向かわせ、第１の歯１１の結果生じる移動をもたらすように、第１の歯科矯正ブラケットのそれぞれのブラケット基部２０に対する第１の歯科矯正ブラケットのそれぞれの四角のアーチワイヤ通路６０の第１の角度配向を有し、第２の歯科矯正ブラケット１０は、患者の第２の歯１１の前向き面１２に解除可能に固定され、第２の歯科矯正ブラケット１０は、第２の所定の力を第２の歯１１に向かわせ、第２の歯１１の結果生じる移動をもたらすように、第２の歯科矯正ブラケットのそれぞれのブラケット基部２０に対する第２の歯科矯正ブラケットのそれぞれの四角のアーチワイヤ通路６０の第２の角度配向を有し、第１の角度配向は第２の角度配向と異なり、第１の歯科矯正ブラケット１０及び第２の歯科矯正ブラケット１０は、中心の同じ高さのアーチワイヤスロット６０の列形成と一列に並び、アーチワイヤ９０は、所定の力を第１の歯１１及び第２の歯１２に付与するように第１の元の構成と異なる形を取るために意図的に歪められることがない、第１の歯科矯正ブラケット及び第２の歯科矯正ブラケットと、を備える。
【００９６】
不正咬合を治療するための歯科矯正ブラケット装置では、アーチワイヤ９０の２つだけの直径方向で相対する径方向に湾曲した凸状の面９６、９７は、単一の共有される中心９５を有する円弧である。
【００９７】
不正咬合を治療するための歯科矯正ブラケット装置では、アーチワイヤ９０は、単一の所定の直径寸法９９と単一の所定の厚さ寸法９３とを有する細長い弾性の主本体９４を有し、弾性の主本体９４の単一の所定の直径寸法９９は、アーチワイヤ９０の弾性の主本体９４が受け入れられ、歯科矯正治療レジメン全体を通じて四角のアーチワイヤ通路６０の中に包囲されるとき、患者の歯１１の一貫した第１の次元の移動１５の制御を維持し、アーチワイヤ９０の所定の均一な厚さ寸法９３は、臨床医の選択可能で制御可能な患者の歯１１の第２の次元の移動１４及び第３の次元の移動１５を、選択された歯科矯正治療レジメンの間、臨床医によるアーチワイヤ９０の任意の意図的な歪み、曲げ、捩じり、または変形なしで達成するように、受動的な結紮歯科矯正ブラケット本体４０への所与のトルク結合の適用を容易にし、アーチワイヤ９０を包囲する四角のアーチワイヤ通路６０は、四角のアーチワイヤ通路６０の中心領域における包囲されたアーチワイヤ９０の配向を維持し、それによって、患者の歯１１の臨床医が選択した第１の次元の移動１３、第２の次元の移動１４、及び第３の次元の移動１５を達成し、アーチワイヤ９０は、四角のアーチワイヤ通路６０の深さ寸法１７より小さい所定の一定の直径寸法９９と、四角のアーチワイヤ通路６０の高さ寸法１８の少なくとも５５パーセントである所定の一定の厚さ寸法９３とを有する。
【００９８】
不正咬合を治療するための歯科矯正ブラケット装置は、患者の歯列弓と密に離間した関係で、歯列弓に沿って位置決めされる第２の構成を有する第２のアーチワイヤ９０をさらに備え、第２のアーチワイヤ９０は、その全長に沿って、実質的に均一な円形−正方形または円形−長方形の断面の形を有し、実質的に均一な断面の形は、２つだけの直径方向で相対する径方向に湾曲した凸状の面９６、９７を有し、上を向く面９１と、相対する下を向く面９２とをさらに有し、上を向く面９１と相対する下を向く面９２とは、離間され、平行であり、２つの直径方向で相対する径方向に湾曲した凸状面９６、９７の間で延びてそれら湾曲した面９６、９７を連結し、第２のアーチワイヤ９０の上を向く面９１と相対する下を向く面９２との間の厚さ寸法９３が第１のアーチワイヤ９０の厚さ寸法と異なる。
【００９９】
不正咬合を治療するための歯科矯正ブラケット装置は、患者の歯列弓に密に隣接した近さで配置されるように構成される細長い本体９４であって、長手方向軸９５における中心９５、ならびに、２つだけの相対する直径方向で離間された径方向に湾曲した凸状面９６、９７、及び、２つだけの相対する直径方向で離間された平面状の面９１、９２を有する断面構成を有する細長い本体９４と、一方の径方向に湾曲した凸状面９６から、直径方向で反対側の径方向に湾曲した凸状面９７へと延び、中心９５を通過する任意の線に沿って測定される細長い本体９４の単一の一貫した直径寸法９９と、一方の平面状の面９１から、直径方向で反対側の平面状の面９２へと延び、２つの直径方向で相対する離れた平面状の面９１、９２に対して垂直である任意の線に沿って測定される細長い本体９４の単一の一貫した厚さ寸法９３とを有するアーチワイヤ９０を備える。
【０１００】
不正咬合を治療するための歯科矯正ブラケット装置では、アーチワイヤ９０は、約０．０２２５ｍｍから約０．０３００ｍｍまでの範囲にある直径寸法９９を有する。
【０１０１】
不正咬合を治療するための歯科矯正ブラケット装置では、アーチワイヤ９０は、約０．０１０ｍｍから約０．０２０ｍｍまでの範囲にある厚さ寸法を有する。
【０１０２】
患者の歯の不正咬合を受動的な結紮歯科矯正装置システムで治療するための方法では、アーチワイヤ９０は、中心９５を通過する線に沿って測定され、２つの直径方向で相対する径方向に凸状の湾曲面９６、９７の間で延び、約０．０２２５ｍｍから約０．０３００ｍｍまでの範囲にある直径寸法９９と、２つの直径方向で相対する概して平面状の上面９１及び下面９２の間で垂直に延びる線に沿って測定される、約０．０１０ｍｍから約０．０２０ｍｍまでの範囲にある厚さ寸法９３とを有する。
【０１０３】
患者の歯１１の不正咬合を受動的な結紮歯科矯正装置システムで治療するための方法では、アーチワイヤ９０は、中心９５を通過する線に沿って測定される、２つの直径方向で相対する径方向に湾曲した凸状面９６、９７の間で延びる、約０．０２７５ｍｍの直径寸法９９を有する。
【０１０４】
患者の歯の不正咬合を受動的な結紮歯科矯正装置システムで治療するための方法では、アーチワイヤ９０は、２つの直径方向で相対する概して平面状の上面９１及び下面９２の間で垂直に延びる線に沿って測定される、約０．０１４ｍｍから約０．０１８ｍｍまでの範囲にある厚さ寸法９３を有する。
【０１０５】
患者の歯１１の不正咬合を受動的な結紮歯科矯正装置システムで治療するための方法では、ブラケット本体挿入体１００は、ブラケット本体挿入体１００及びブラケット本体４０において画定され、ブラケット本体挿入体１００及びブラケット本体４０において一列に並べられる横断孔７３を通じて延びる保持ピン１２０によって、ブラケット本体４０及びブラケット基部２０に対して調節可能に固定される。
【０１０６】
そのため、これまでは臨床医ができなかった治療の選択肢を本発明が提供することが分かる。この歯科矯正ブラケットのおかげで、臨床医は、ブラケット基部２０に解除可能に嵌まり合って固定でき、治療レジメンを通じて患者の歯１１に固定されたままである複数のブラケット本体を採用することで、患者のための所与の治療計画で進めることができる。この新しい歯科矯正ブラケット１０は、臨床医にとって利用可能な治療の選択肢を大いに高め、患者の治療の速さをこれまで可能であった治療の速さを超えて促進し、複数の治療ステップを含み得る歯科矯正治療レジメンの間、患者の快適性をさらに増加させる。前述の利点に加えて、製造者は、これまでは対処できなかった歯の異常を有する患者に有用となるように潜在的に後での製作で変更され得る、同じブラケット基部を利用する複数のブラケット本体の種類をこれらの同じ製造者がここでは製作できるため、コスト節約の拡大を享受することになる。
【０１０７】
特許法に従って、本発明は、構造的及び系統的な特徴に関して多かれ少なかれ特定の言語で記載されている。しかしながら、本明細書で開示されている手段が本発明を有効にする好ましい形態を含むため、本発明が図示及び記載された特定の特徴に限定されないことは、理解されるものである。そのため、本発明は、均等論に従って適切に解釈される添付の請求項の適切な範囲内での形態または変更のいずれかで請求される。
【符号の説明】
【０１０８】
１０  歯科矯正ブラケット
１１  歯
１１Ａ  歯根
１１Ｂ  歯冠
１１Ｃ  長手方向軸
１２  前向き面
１３  第１の次元の移動、第１の次元の力
１４  第２の次元の移動、第２の次元の力
１５  第３の次元の移動、第３の次元の力
１７  アーチワイヤスロット深さ寸法
２０  ブラケット基部、プラットフォーム基部
２１  主本体
２２  前向き面、前面
２３  後向き面、後面
２４  周囲の縁
２６  第１の縁部分、側部
２７  第２の縁部分、側部
２８  第１の厚さ寸法
２９  第２の厚さ寸法
３０  結合部分、結合領域
３１  湾曲した鳩尾形のスロット
３２  側壁
３３、３３Ａ、３３Ｂ  中央で高くされた領域
３４  湾曲した上方を向く面
３５  フランジ部分
３６  係合領域
３７  凹部
４０  ブラケット本体
４１  主本体
４２  前向き面
４３  後向き面
４４  第１（近心）の側
４５  第２（遠心）の側
４６  上を向く面、上を向く側
４７  下を向く面、下を向く側
５０  移動可能ゲート
５１  進行の経路
５２  第１の塞がない位置または開位置
５３  第２の塞ぐ位置または閉位置
５４  前または外側を向く面
５５  後内側を向く面、後面、内面
６０  アーチワイヤスロット、アーチワイヤ通路
６１  第１の端
６２  第２の端または遠位端
６３  天面、上面
６４  底面、下面
６５  支持壁、凹状壁
６７  中心領域、中心
７０  中間を通る通路
７１  第１の通路
７２  第２の通路
７３  貫通孔
８０  湾曲した面
８１  雄ピン部材
８２  主本体
８３  中央支持の柱またはシャフトの領域
８５  フランジ部分
８６  湾曲した面
９０  アーチワイヤ
９１  天面、上面、上を向く面
９２  底面、下面、下を向く面
９３  厚さ寸法
９４  主本体
９５  長手方向軸、中心
９６  前の凸状に湾曲した面
９７  凸状に湾曲した後向き面
９８  角張った縁または領域
９９  一貫した直径、直径寸法
９９Ａ  一貫した半径
１００  ブラケット本体挿入体
１０１  第１の端
１０２  第２の端
１０３  細長い主本体
１０４  天面、上を向く面
１０５  底面、下を向く面
１０６  前向き面、前面、内面
１０７  後向き面、後面
１１０  摩擦隆条部
１１１  第１の係合部分
１１２  第２の係合部分
１１３  フランジ部分
１１４  突起
１１８  中間係合部材
１１９  細長い孔
１２０  保持ピン
１２１  遠位端
１８０  同じ高さのアーチワイヤスロットの列形成、水準線
【図１】
2021513434.tif 000003
【図２】
2021513434.tif 000004
【図３】
2021513434.tif 000005
【図４】
2021513434.tif 000006
【図５】
2021513434.tif 000007
【図６】
2021513434.tif 000008
【図７】
2021513434.tif 000009
【図８】
2021513434.tif 000010
【図９】
2021513434.tif 000011
【図１０】
2021513434.tif 000012
【図１１】
2021513434.tif 000013
【図１２】
2021513434.tif 000014
【図１３】
2021513434.tif 000015
【図１４】
2021513434.tif 000016
【図１５】
2021513434.tif 000017
【図１６】
2021513434.tif 000018
【図１７】
2021513434.tif 000019
【図１８】
2021513434.tif 000020
【図１９】
2021513434.tif 000021
【図２０】
2021513434.tif 000022
【図２１】
2021513434.tif 000023
【図２２】
2021513434.tif 000024
【図２３】
2021513434.tif 000025
【図２４−２６】
2021513434.tif 000026
【図２７−２９】
2021513434.tif 000027
【図３０】
2021513434.tif 000028
【図３１】
2021513434.tif 000029
【図３２−３４】
2021513434.tif 000030
【国際調査報告】
2021513434.tif 000031
2021513434.tif 000032
2021513434.tif 000033
2021513434.tif 000034
2021513434.tif 000035
2021513434.tif 000036
2021513434.tif 000037